(57)【要約】【課題】インターネット端末と周知の電話端末とで構成され、電話端末でインターネット通話機能による音声通話を行うことのできるインターネット電話システムにおいて、インターネット端末と電話端末とが接続されていない場合でも、着信相手からの音声メッセージを記憶することができるようにする。【解決手段】インターネット電話システム１は、電話端末２、インターネット端末３、子機端末４で構成され、インターネット端末３と電話端末２とは、音声Ｉ／Ｆ１８、２４及び制御Ｉ／Ｆ２０、２７を介して接続されると、音声信号と制御信号を送受信可能となる。インターネット端末３と電話端末２とが制御Ｉ／Ｆ２０、２７を介して接続されていない時に着信があった場合に、インターネット端末３は着信相手からの音声メッセージを記憶し、その後、電話端末２に接続されると、電話端末２に音声メッセージの記憶を通知する。【選択図】図１
2004112308.tif 000002
【特許請求の範囲】
【請求項１】
通話用の送受話器を備えると共に該送受話器を利用して通話を行うための音声信号及び各種制御信号を入出力可能な電話端末に接続され、インターネットを介して他のインターネット端末との間で音声信号を送受信することによって、前記電話端末の送受話器を利用したインターネット通話を実現するインターネット端末であって、
前記電話端末との間で通話用の音声信号を入出力するための第１音声信号入出力端子と、
前記電話端末との間で各種制御信号を入出力するための第１制御信号入出力端子と、
前記電話端末から前記第１音声信号入出力端子に入力された音声信号をインターネットを介して他のインターネット端末に送信すると共に、該他のインターネット端末からインターネットを介して送信されてきた音声信号を受信し、該受信した音声信号を前記第１音声信号入出力端子から前記電話端末へ出力させる音声信号中継手段と、
通話相手となる他のインターネット端末から送信されてきた音声メッセージを記憶するための第１音声メッセージ記憶手段と、
インターネットを介して他のインターネット端末からインターネット電話用の呼出信号が送信されてくると、該呼出信号を前記第１制御信号入出力端子から前記電話端末に出力させ、その後、該呼出信号に対する呼出応答信号が前記電話端末から前記第１制御信号入出力端子に入力されたか否かを判定する呼出応答判定手段と、
該呼出応答判定手段にて前記電話端末から前記呼出応答信号が入力されたと判定された場合には、前記音声信号中継手段を動作させ、前記呼出応答判定手段にて前記電話端末から前記呼出応答信号が入力されないと判定された場合には、前記呼出信号を送信してきた他のインターネット端末に、音声メッセージの送信を促す音声案内を行い、その後、他のインターネット端末から送信されてくる音声メッセージを前記第１音声メッセージ記憶手段に記憶させる着信制御手段と、
を備えたことを特徴とするインターネット端末。
【請求項２】
前記第１音声メッセージ記憶手段に他のインターネット端末からの音声メッセージが記憶されている場合に、その旨を表す通知信号を、前記第１制御信号入出力端子から前記電話端末に出力させる音声メッセージ通知手段を備えたことを特徴とする請求項１に記載のインターネット端末。
【請求項３】
前記音声メッセージ通知手段は、前記電話端末から前記第１制御信号入出力端子に前記通知信号に対する通知応答信号が入力されると、前記第１制御信号入出力端子からの前記通知信号の出力を停止させることを特徴とする請求項２に記載のインターネット端末。
【請求項４】
前記電話端末から前記第１制御信号入出力端子に前記音声メッセージの再生指令が入力されると、前記第１音声メッセージ記憶手段に記憶された音声メッセージを再生して、再生後の音声信号を前記第１音声信号入出力端子から前記電話端末へ出力させる第１音声メッセージ再生手段、
を備えたことを特徴とする請求項１〜請求項３何れか記載のインターネット端末。
【請求項５】
前記音声メッセージ通知手段は、前記電話端末からの通知応答信号の入力に伴い前記通知信号の出力を停止させた後、前記第１音声メッセージ記憶手段に記憶された音声メッセージを前記第１制御信号入出力端子から前記電話端末に出力させることを特徴とする請求項３に記載のインターネット端末。
【請求項６】
電話回線網に接続するための電話回線接続端子と、通話用の送受話器とを備え、前記電話回線接続端子及び電話回線網を介して他の電話端末との間で送受信される音声信号に基づく通話を、前記送受話器を介して実行可能な電話端末であって、
請求項２〜請求項４何れか記載のインターネット端末に設けられた前記第１音声信号入出力端子及び前記第１制御信号入出力端子に夫々接続するための第２音声信号入出力端子及び第２制御信号入出力端子と、
前記インターネット端末から前記第２制御信号入出力端子に呼出信号が入力されると、その旨を周囲に報知する第１報知手段と、
該第１報知手段により報知されている間に、操作者の操作によって、インターネット電話の通話開始指令を入力するための前記通話開始指令入力手段と、
該通話開始指令入力手段からインターネット電話の通話開始指令が入力されると、前記送受話器を介して入力される音声信号の出力先、及び、前記送受話器から音声として出力する音声信号の入力先を、前記電話回線接続端子から前記第２音声信号入出力端子に切り換える前記音声信号経路切換手段と、
前記通話開始指令入力手段からインターネット電話の通話開始指令が入力されると、前記第２制御信号入出力端子から前記インターネット端末に呼出応答信号を出力させて、前記インターネット端末に対して、他のインターネット端末との間の音声信号の中継動作を実行させるインターネット端末制御手段と、
前記インターネット端末から前記第２制御信号入出力端子に音声メッセージを記憶している旨を表す通知信号が入力されると、その旨を周囲に報知する第２報知手段と、
を備えたことを特徴とする電話端末。
【請求項７】
前記インターネット端末から前記第２制御信号入出力端子に前記通知信号が入力されると、該通知信号を受信した旨を表す通知応答信号を、前記第２制御信号入出力端子から前記インターネット端末に出力させる通知応答信号出力手段を備えたことを特徴とする請求項６に記載の電話端末。
【請求項８】
操作者の操作によって、前記インターネット端末に記憶された音声メッセージを確認する確認指令を入力するための第１確認指令入力手段を備え、
前記音声信号経路切換手段は、前記第１確認指令入力手段から前記確認指令が入力されると、前記送受話器を介して入力される音声信号の出力先、及び、前記送受話器から音声として出力する音声信号の入力先を、前記電話回線接続端子から前記第２音声信号入出力端子に切り換え、
前記インターネット端末制御手段は、前記第１確認指令入力手段から前記確認指令が入力されると、前記第２制御信号入出力端子から前記インターネット端末に前記音声メッセージの再生指令を出力させて、前記インターネット端末に前記音声メッセージを再生させることを特徴とする請求項６または請求項７に記載の電話端末。
【請求項９】
電話回線網に接続するための電話回線接続端子と、通話用の送受話器とを備え、前記電話回線接続端子及び電話回線網を介して他の電話端末との間で送受信される音声信号に基づく通話を、前記送受話器を介して実行可能な電話端末であって、
請求項５に記載のインターネット端末に設けられた前記第１音声信号入出力端子及び前記第１制御信号入出力端子に夫々接続するための第２音声信号入出力端子及び第２制御信号入出力端子と、
前記インターネット端末から前記第２制御信号入出力端子に呼出信号が入力されると、その旨を周囲に報知する第１報知手段と、
該第１報知手段により報知されている間に、操作者の操作によって、インターネット電話の通話開始指令を入力するための通話開始指令入力手段と、
該通話開始指令入力手段からインターネット電話の通話開始指令が入力されると、前記送受話器を介して入力される音声信号の出力先、及び、前記送受話器から音声として出力する音声信号の入力先を、前記電話回線接続端子から前記第２音声信号入出力端子に切り換える音声信号経路切換手段と、
前記通話開始指令入力手段からインターネット電話の通話開始指令が入力されると、前記第２制御信号入出力端子から前記インターネット端末に呼出応答信号を出力させて、前記インターネット端末に対して、他のインターネット端末との間の音声信号の中継動作を実行させるインターネット端末制御手段と、
前記インターネット端末から前記第２制御信号入出力端子に音声メッセージを記憶している旨を表す通知信号が入力されると、該通知信号を受信した旨を表す通知応答信号を、前記第２制御信号入出力端子から前記インターネット端末に出力させる通知応答信号出力手段と、
通話相手からの音声メッセージを記憶するための第２音声メッセージ記憶手段と、
前記通知応答信号出力手段が通知応答信号を前記インタネット端末に出力した後、前記インターネット端末から前記第２制御信号入出力端子に入力される音声メッセージを、前記第２音声メッセージ記憶手段に記憶し、該第２音声メッセージ記憶手段に音声メッセージが記憶されている旨を周囲に報知する第３報知手段と、
を備えたことを特徴とする電話端末。
【請求項１０】
操作者の操作によって、前記第２音声メッセージ記憶手段に記憶された音声メッセージを確認する確認指令を入力するための第２確認指令入力手段と、
該第２確認指令入力手段に確認指令が入力されると、前記第２音声メッセージ記憶手段に記憶された音声メッセージを再生し、該再生後の音声信号を前記送受話器に出力する第２音声メッセージ再生手段と、
を備えたことを特徴とする請求項９に記載の電話端末。
【請求項１１】
請求項２に記載のインターネット端末と、請求項６〜請求項８の何れか記載の電話端末とを備えたことを特徴とするインターネット電話システム。
【請求項１２】
請求項３に記載のインターネット端末と、請求項７または請求項８に記載の電話端末とを備えたことを特徴とするインターネット電話システム。
【請求項１３】
請求項４に記載のインターネット端末と、請求項８に記載の電話端末とを備えたことを特徴とするインターネット電話システム。
【請求項１４】
請求項５に記載のインターネット端末と、請求項９または請求項１０に記載の電話端末とを備えたことを特徴とするインターネット電話システム。
【請求項１５】
請求項１〜請求項５何れか記載のインターネット端末における呼出応答判定手段及び着信制御手段としての機能を、コンピュータの処理によって実現するための端末制御プログラム。
【請求項１６】
請求項１５に記載の端末制御プログラムにおいて、更に、請求項２に記載のインターネット端末における音声メッセージ通知手段としての機能を実現するための手順を含むことを特徴とする端末制御プログラム。
【請求項１７】
請求項６又は請求項７記載の電話端末における第１報知手段、音声信号経路切換手段、インターネット端末制御手段、及び、第２報知手段としての機能を、コンピュータの処理によって実現するための端末制御プログラム。
【請求項１８】
請求項１７記載の端末制御プログラムにおいて、更に、請求項７に記載の通知応答信号出力手段としての機能を実現するための手順を含むことを特徴とする端末制御プログラム。
【請求項１９】
請求項９記載の電話端末における第１報知手段、音声信号経路切換手段、インターネット端末制御手段、通知応答信号出力手段、第３報知手段としての機能を、コンピュータの処理によって実現するための端末制御プログラム。
【請求項２０】
請求項１９記載の端末制御プログラムにおいて、更に、請求項１０に記載の第２音声メッセージ再生手段としての機能を実現するための手順を含むことを特徴とする端末制御プログラム。
【発明の詳細な説明】
【０００１】
【発明の属する技術分野】
本発明は、インターネット電話を実現するインターネット端末、電話端末、インターネット電話システムおよび端末制御プログラムに関する。
【０００２】
【従来の技術】
近年、インターネットを介してデータ通信を行うことができるインターネット端末が広く普及している。このようなインターネット端末の中には、インターネットから音声信号を入出力すると共に、これらの音声信号に基づく音声をインターネット端末に接続された送受話装置（例えば、ヘッドセット：ヘッドホンまたはイヤホンとマイクが一体化された装置）から入出力することにより音声通話を実現する機能（以降、インターネット通話機能とする）を有するものがある。
【０００３】
このインターネット端末において、インターネットから入出力する音声信号に基づく音声は、インターネット端末の備えるスピーカおよびマイクから入出力させることもできるが、スピーカおよびマイクの設置位置によっては、スピーカから出力される音声が聞き取り難くなったり、マイクから入力される音声の音量が小さくなったりして、良好に音声通話が行えないことがある。そのため、インターネット通話機能を利用する際、インターネット端末に接続された送受話装置を使用することが一般的になっている（例えば、特許文献１参照。）。
【０００４】
【特許文献１】
特開２００１−８６２０９号広報　（第３頁、第１図）
【０００５】
【発明が解決しようとする課題】
しかし、このような送受話装置は、インターネット通話機能を利用する専用の装置であるため、インターネット通話機能を利用するとき以外に他の用途で使用することができなかった。
【０００６】
そこで、インターネット通話機能を利用するための装置として、他の用途で利用される装置を流用することができれば、インターネット通話機能を利用するためだけに専用の装置を用意する必要が無くなるため好適である。
ここで、インターネット通話機能のために流用する装置としては、例えば、電話回線網経由で伝送される音声信号に基づく音声を送受話器から入出力することにより音声通話を実現することができる周知の電話端末などが考えられる。このような電話端末であれば、インターネット通話機能を利用しないときには、通常の電話端末として使用することができる。
【０００７】
しかし、周知の電話端末を流用してインターネット通話機能を利用するといった装置では、周知の電話端末とインターネット端末が接続されていない状態でインターネット通話の着信があると、電話端末側で着信の報知がされず、電話端末側にいる利用者は着信があることに気付かないため、着信に応答することが出来ず、また着信があったことも知ることができない場合があるという問題があった。
【０００８】
本発明は、電話端末とインターネット端末が接続されていないときにも着信があったことを知ることのできるインターネット端末、電話端末およびインターネット電話システムを提供すること、また、これらにおいて利用可能な端末制御プログラムを提供することを目的とする。
【０００９】
【課題を解決するための手段および発明の効果】
上記問題を解決するため請求項１に記載の電話端末は、
通話用の送受話器を備えると共に該送受話器を利用して通話を行うための音声信号及び各種制御信号を入出力可能な電話端末に接続され、インターネットを介して他のインターネット端末との間で音声信号を送受信することによって、前記電話端末の送受話器を利用したインターネット通話を実現するインターネット端末であって、
前記電話端末との間で通話用の音声信号を入出力するための第１音声信号入出力端子と、
前記電話端末との間で各種制御信号を入出力するための第１制御信号入出力端子と、
前記電話端末から前記第１音声信号入出力端子に入力された音声信号をインターネットを介して他のインターネット端末に送信すると共に、該他のインターネット端末からインターネットを介して送信されてきた音声信号を受信し、該受信した音声信号を前記第１音声信号入出力端子から前記電話端末へ出力させる音声信号中継手段と、
通話相手となる他のインターネット端末から送信されてきた音声メッセージを記憶するための第１音声メッセージ記憶手段と、
インターネットを介して他のインターネット端末からインターネット電話用の呼出信号が送信されてくると、該呼出信号を前記第１制御信号入出力端子から前記電話端末に出力させ、その後、該呼出信号に対する呼出応答信号が前記電話端末から前記第１制御信号入出力端子に入力されたか否かを判定する呼出応答判定手段と、
該呼出応答判定手段にて前記電話端末から前記呼出応答信号が入力されたと判定された場合には、前記音声信号中継手段を動作させ、前記呼出応答判定手段にて前記電話端末から前記呼出応答信号が入力されないと判定された場合には、前記呼出信号を送信してきた他のインターネット端末に、音声メッセージの送信を促す音声案内を行い、その後、他のインターネット端末から送信されてくる音声メッセージを前記第１音声メッセージ記憶手段に記憶させる着信制御手段と、を備えたことを特徴とする。
【００１０】
このように構成されたインターネット端末によれば、インターネットを介して他のインターネット端末からインターネット電話用の呼出信号が送信されてきた時、インターネット端末は電話端末に呼出信号を送信する。そして、電話端末に呼出信号が入力されると、電話端末はインターネット通話の着信がある旨を報知する。インターネット電話の着信があることを知った利用者により電話端末側から音声通話を開始する操作が行われると、電話端末はインターネット端末に呼出応答信号を出力する。そして、インターネット端末に呼出応答信号が入力されると、呼出応答判定手段は呼出応答信号が入力されたと判定し、さらに、音声信号中継手段によって、第１音声信号入出力端子に入力された音声信号をインターネットを介して他のインターネット端末に送信し、他のインターネット端末からインターネットを介して送信されてきた音声信号を第１音声信号入出力端子から電話端末へ出力する。
【００１１】
このように、インターネットを介して他のインターネット端末からインターネット電話用の呼出信号が送信されてきた場合に利用者がインターネット電話を開始する操作をすれば、電話端末の送受話器で間接的にインターネット通話機能による音声通話を行うことができる。
【００１２】
他方、第１制御信号入出力端子が電話端末に接続されていない時には、インターネット端末は電話端末に呼出信号を送信しても電話端末に呼出信号が入力されず、且つインターネット端末に呼出応答信号が入力されないため、呼出応答判定手段は呼出応答信号が入力されないと判定し、着信制御手段によって、他のインターネット端末に、音声メッセージの送信を促す音声案内を行い、その後、他のインターネット端末から送信されてくる音声メッセージを第１音声メッセージ記憶手段に記憶する。
【００１３】
即ち、第１制御信号入出力端子が電話端末に接続されていない等の理由によりインターネット端末に呼出応答信号が入力されない場合には、インターネット端末が、現在電話に出ることができない旨の音声信号を通話相手に送信し、通話相手からのメッセージを記憶するという、いわゆる、留守録機能を可能にする。このため、第１制御信号入出力端子が電話端末に接続されていない場合でも、インターネット電話の着信があったことを知ることができ、且つ相手からのメッセージを確認することができる。
【００１４】
なお、インターネット通話機能の利用の際の契機となる「利用者の操作」について、その具体的な操作内容は特に限定されないが、例えば、インターネット通話の開始を行うための専用の操作部（例えば、スイッチなど）を設け、この操作部が操作される、といった操作内容を考えることができる。
【００１５】
また、「利用者の操作」の具体的な操作内容としては、インターネット通話の開始を行うための特定の操作手順を設定しておき、この操作手順に従った操作が行われる、といった操作内容を考えることもできる。ここで、操作手順としては、例えば、特定の操作ボタンを長押し（一定時間押し続ける）したり、複数の操作ボタンを特定の順番で操作したり、といったことである。
【００１６】
また、第１制御信号入出力端子が電話端末に接続されていない状態でインターネット電話の着信があり、通話相手からのメッセージがインターネット端末に記憶された場合、電話端末でもメッセージが記憶された旨を報知できるようにすれば、メッセージが記憶されることを利用者が知る機会が増えることになり望ましい。
【００１７】
そこで請求項２に記載のように、請求項１に記載のインターネット端末は、
前記第１音声メッセージ記憶手段に他のインターネット端末からの音声メッセージが記憶されている場合に、その旨を表す通知信号を、前記第１制御信号入出力端子から前記電話端末に出力させる音声メッセージ通知手段を備える、ように構成すればよい。
【００１８】
このように構成されたインターネット端末によれば、第１制御信号入出力端子が電話端末に接続された後に、電話端末は、インターネット端末に音声メッセージが記憶されている旨を表す通知信号を受信する。即ち、電話端末側において音声メッセージが記憶されていることを知ることができ、且つメッセージが記憶されることを利用者が知る機会が増える。
【００１９】
さらに、他のインターネット端末からの音声メッセージが記憶されている旨の通知信号を電話端末が受信したら、通知信号はその役割を終えるため、インターネット端末の制御負荷を減らすために通知信号の出力を停止することが望ましい。
【００２０】
そこで請求項３に記載のように、
前記音声メッセージ通知手段は、前記電話端末から前記第１制御信号入出力端子に前記通知信号に対する通知応答信号が入力されると、前記第１制御信号入出力端子からの前記通知信号の出力を停止させる、ように構成すればよい。
【００２１】
このように構成されたインターネット端末によれば、音声メッセージが記憶されている旨の通知信号を電話端末が受信した後に、インターネット端末は通知信号の出力を停止することができる。
さらに、インターネット端末に音声メッセージが記憶されている旨を電話端末側で知った場合に、電話端末側で音声メッセージを確認できれば、インターネット端末が設置されている場所に行きインターネット端末を操作して音声メッセージを確認する必要がなく便利である。
【００２２】
このようなことから、普通の電話端末で行っているように、電話端末側でインターネット端末に音声メッセージが記憶されている旨を知った場合には、電話端末側で音声メッセージを確認できるように構成してもよい。
そして、このためには、請求項４に記載のように、請求項１〜請求項３何れか記載のインターネット端末は、
前記電話端末から前記第１制御信号入出力端子に前記音声メッセージの再生指令が入力されると、前記第１音声メッセージ記憶手段に記憶された音声メッセージを再生して、再生後の音声信号を前記第１音声信号入出力端子から前記電話端末へ出力させる第１音声メッセージ再生手段を備える、ように構成すればよい。
【００２３】
このように構成されたインターネット端末によれば、電話端末側でインターネット端末に音声メッセージが記憶されている旨を知った利用者が、音声メッセージを再生するための操作を行うことにより、電話端末から出力される音声メッセージの再生指令をインターネット端末が受信すると、第１音声メッセージ再生手段によって音声メッセージを再生して、再生後の音声信号を第１音声信号入出力端子から電話端末へ出力させるため、普通の電話端末で行っているように電話端末側で音声メッセージを確認することができる。
【００２４】
また、電話端末側で音声メッセージを確認できるようにするためには、請求項５に記載のように、
前記音声メッセージ通知手段を、前記電話端末からの通知応答信号の入力に伴い前記通知信号の出力を停止させた後、前記第１音声メッセージ記憶手段に記憶された音声メッセージを前記第１制御信号入出力端子から前記電話端末に出力させる、ように構成してもよい。
【００２５】
このように構成されたインターネット端末によれば、第１制御信号入出力端子が電話端末に接続された後に、音声メッセージ通知手段は、第１音声メッセージ記憶手段に記憶された音声メッセージを第１制御信号入出力端子から前記電話端末に出力する。これによって、電話端末側で音声メッセージを記憶することができ、この後に再び第１制御信号入出力端子が電話端末に接続されなくなった場合でも、電話端末側で音声メッセージを確認できる。
【００２６】
また請求項６に記載の電話端末は、
電話回線網に接続するための電話回線接続端子と、通話用の送受話器とを備え、前記電話回線接続端子及び電話回線網を介して他の電話端末との間で送受信される音声信号に基づく通話を、前記送受話器を介して実行可能な電話端末であって、
請求項２〜請求項４何れか記載のインターネット端末に設けられた前記第１音声信号入出力端子及び前記第１制御信号入出力端子に夫々接続するための第２音声信号入出力端子及び第２制御信号入出力端子と、
前記インターネット端末から前記第２制御信号入出力端子に呼出信号が入力されると、その旨を周囲に報知する第１報知手段と、
該第１報知手段により報知されている間に、操作者の操作によって、インターネット電話の通話開始指令を入力するための前記通話開始指令入力手段と、
該通話開始指令入力手段からインターネット電話の通話開始指令が入力されると、前記送受話器を介して入力される音声信号の出力先、及び、前記送受話器から音声として出力する音声信号の入力先を、前記電話回線接続端子から前記第２音声信号入出力端子に切り換える前記音声信号経路切換手段と、
前記通話開始指令入力手段からインターネット電話の通話開始指令が入力されると、前記第２制御信号入出力端子から前記インターネット端末に呼出応答信号を出力させて、前記インターネット端末に対して、他のインターネット端末との間の音声信号の中継動作を実行させるインターネット端末制御手段と、
前記インターネット端末から前記第２制御信号入出力端子に音声メッセージを記憶している旨を表す通知信号が入力されると、その旨を周囲に報知する第２報知手段と、を備えたことを特徴とする
このように構成された電話端末によれば、請求項２〜請求項４の何れかに記載のインターネット端末と、音声信号入出力端子経由で音声信号を入出力可能に接続し、さらに制御信号入出力端子経由で各種制御信号を入出力可能に接続することによって、インターネット端末からインターネット電話用の呼出信号が入力されると、第１報知手段は呼出信号が入力されている旨を周囲に報知する。これにより、インターネット電話の着信があることを知った利用者が通話開始指令入力手段を介してインターネット電話を開始する操作を行うと、インターネット端末制御手段はインターネット端末に呼出応答信号を出力し、さらに、音声信号経路切換手段は、送受話器を介して入力される音声信号の出力先、及び、送受話器から音声として出力する音声信号の入力先を、電話回線接続端子から、外部からの音声信号の入力および外部への音声信号の出力が可能な第２音声信号入出力端子に切り換える。一方、インターネット端末は、電話端末から第１音声信号入出力端子に入力された音声信号をインターネットを介して他のインターネット端末に送信し、その後、他のインターネット端末からインターネットを介して送信されてきた音声信号を第１音声信号入出力端子から電話端末へ出力する。
【００２７】
このため、本発明の電話端末によれば、インターネットを介して他のインターネット端末からインターネット電話用の呼出信号が送信されてきた場合に、利用者がインターネット電話を開始する操作をすることにより、インターネット端末を介して、インターネット通話を行うことができる。
【００２８】
他方、インターネット端末に音声メッセージが記憶された後に第２制御信号入出力端子がインターネット端末に接続されて、インターネット端末から音声メッセージを記憶している旨を表す通知信号が入力されると、第２報知手段はその旨を周囲に報知する。
【００２９】
このため、当該電話端末の利用者は、他のインターネット端末から呼び出しがあった時に、電話端末がインターネット端末に接続されていなくても、その後電話端末がインターネット端末に接続した時点で、インターネット端末に音声メッセージが記憶されていることを知ることができる。
【００３０】
なお、上述の第１報知手段、第２報知手段により報知するための構成としては、例えば、報知する内容のメッセージを音声入出力部のスピーカから出力させる、または表示装置に表示させる、または音声入出力部のスピーカから出力させると同時に表示装置に表示させるといった構成を考えることができる。
【００３１】
また請求項７に記載の電話端末は、
前記インターネット端末から前記第２制御信号入出力端子に前記通知信号が入力されると、該通知信号を受信した旨を表す通知応答信号を、前記第２制御信号入出力端子から前記インターネット端末に出力させる通知応答信号出力手段を備える、ことを特徴とする。
【００３２】
このように構成された電話端末によれば、インターネット端末と接続することによって、インターネット端末から第２制御信号入出力端子に通知信号が入力されると、通知応答信号出力手段は、通知信号を受信した旨を表す通知応答信号を第２制御信号入出力端子からインターネット端末に出力する。
【００３３】
このため、この電話端末によれば、請求項３に記載のインターネット端末と共に利用することにより、音声メッセージが記憶されている旨の通知信号を電話端末が受信した後に、インターネット端末は通知信号の出力を停止することができる。
【００３４】
また請求項８に記載の電話端末は、
操作者の操作によって、前記インターネット端末に記憶された音声メッセージを確認する確認指令を入力するための第１確認指令入力手段を備え、
前記音声信号経路切換手段は、前記第１確認指令入力手段から前記確認指令が入力されると、前記送受話器を介して入力される音声信号の出力先、及び、前記送受話器から音声として出力する音声信号の入力先を、前記電話回線接続端子から前記第２音声信号入出力端子に切り換え、
前記インターネット端末制御手段は、前記第１確認指令入力手段から前記確認指令が入力されると、前記第２制御信号入出力端子から前記インターネット端末に前記音声メッセージの再生指令を出力させて、前記インターネット端末に前記音声メッセージを再生させる、ことを特徴とする。
【００３５】
このように構成された電話端末によれば、インターネット端末との接続後に、インターネット端末に音声メッセージが記憶されていることを知った利用者が、第１確認指令入力手段を介してインターネット端末に記憶された音声メッセージを確認する確認指令を入力するための操作を行うと、インターネット端末制御手段はインターネット端末に音声メッセージの再生指令を出力し、さらに、音声信号経路切換手段によって、送受話器を介して入力される音声信号の出力先、及び、送受話器から音声として出力する音声信号の入力先を、電話回線接続端子から、外部からの音声信号の入力および外部への音声信号の出力が可能な第２音声信号入出力端子に切り換える。一方、インターネット端末は、電話端末から音声メッセージの再生指令が入力されると、音声メッセージを再生して、再生後の音声信号を第１音声信号入出力端子から電話端末へ出力する。
【００３６】
このため、この電話端末によれば、請求項４に記載のインターネット端末と共に利用することにより、普通の電話端末で行っているように電話端末側で音声メッセージを確認することができる。
また請求項９に記載の電話端末は、
電話回線網に接続するための電話回線接続端子と、通話用の送受話器とを備え、前記電話回線接続端子及び電話回線網を介して他の電話端末との間で送受信される音声信号に基づく通話を、前記送受話器を介して実行可能な電話端末であって、
請求項５に記載のインターネット端末に設けられた前記第１音声信号入出力端子及び前記第１制御信号入出力端子に夫々接続するための第２音声信号入出力端子及び第２制御信号入出力端子と、
前記インターネット端末から前記第２制御信号入出力端子に呼出信号が入力されると、その旨を周囲に報知する第１報知手段と、
該第１報知手段により報知されている間に、操作者の操作によって、インターネット電話の通話開始指令を入力するための通話開始指令入力手段と、
該通話開始指令入力手段からインターネット電話の通話開始指令が入力されると、前記送受話器を介して入力される音声信号の出力先、及び、前記送受話器から音声として出力する音声信号の入力先を、前記電話回線接続端子から前記第２音声信号入出力端子に切り換える音声信号経路切換手段と、
前記通話開始指令入力手段からインターネット電話の通話開始指令が入力されると、前記第２制御信号入出力端子から前記インターネット端末に呼出応答信号を出力させて、前記インターネット端末に対して、他のインターネット端末との間の音声信号の中継動作を実行させるインターネット端末制御手段と、
前記インターネット端末から前記第２制御信号入出力端子に音声メッセージを記憶している旨を表す通知信号が入力されると、該通知信号を受信した旨を表す通知応答信号を、前記第２制御信号入出力端子から前記インターネット端末に出力させる通知応答信号出力手段と、
通話相手からの音声メッセージを記憶するための第２音声メッセージ記憶手段と、
前記通知応答信号出力手段が通知応答信号を前記インタネット端末に出力した後、前記インターネット端末から前記第２制御信号入出力端子に入力される音声メッセージを、前記第２音声メッセージ記憶手段に記憶し、該第２音声メッセージ記憶手段に音声メッセージが記憶されている旨を周囲に報知する第３報知手段と、を備えたことを特徴とする。
【００３７】
このように構成された電話端末によれば、インターネット端末と接続することによって、インターネット端末からインターネット電話用の呼出信号が入力されると、第１報知手段は呼出信号が入力されている旨を周囲に報知する。これにより、インターネット電話の着信があることを知った利用者が通話開始指令入力手段を介してインターネット電話を開始する操作を行うと、インターネット端末制御手段はインターネット端末に呼出応答信号を出力し、さらに、音声信号経路切換手段は、送受話器を介して入力される音声信号の出力先、及び、送受話器から音声として出力する音声信号の入力先を、電話回線接続端子から、外部からの音声信号の入力および外部への音声信号の出力が可能な第２音声信号入出力端子に切り換える。一方、インターネット端末は、電話端末から第１音声信号入出力端子に入力された音声信号をインターネットを介して他のインターネット端末に送信し、その後、他のインターネット端末からインターネットを介して送信されてきた音声信号を第１音声信号入出力端子から電話端末へ出力する。
【００３８】
このため、本発明の電話端末によれば、インターネットを介して他のインターネット端末からインターネット電話用の呼出信号が送信されてきた場合に、利用者がインターネット電話を開始する操作をすることにより、インターネット端末を介して、インターネット通話を行うことができる。
【００３９】
他方、インターネット端末に音声メッセージが記憶された後に第２制御信号入出力端子がインターネット端末に接続されて、インターネット端末から音声メッセージを記憶している旨を表す通知信号が入力されると、通知応答信号出力手段はインターネット端末に通知応答信号を出力する。
【００４０】
その後、インターネット端末から第２制御信号入出力端子に音声メッセージが入力されると、第３報知手段は音声メッセージを第２音声メッセージ記憶手段に記憶し、第２音声メッセージ記憶手段に音声メッセージが記憶されている旨を周囲に報知する。
【００４１】
このため、この電話端末によれば、請求項５に記載のインターネット端末と共に利用することにより、当該電話端末の利用者は、他のインターネット端末から呼び出しがあった時に、電話端末がインターネット端末に接続されていなくても、その後電話端末がインターネット端末に接続した時点で、インターネット端末に音声メッセージが記憶されていることを知ることができ、且つ音声メッセージは電話端末の第２音声メッセージ記憶手段に記憶されるため、この後に再び第２制御信号入出力端子がインターネット端末に接続されなくなった場合でも、電話端末側で音声メッセージを確認できる。
【００４２】
なお、上述の第３報知手段により報知するための構成としては、例えば、報知する内容のメッセージを音声入出力部のスピーカから出力させる、または表示装置に表示させる、または音声入出力部のスピーカから出力させると同時に表示装置に表示させるといった構成を考えることができる。
【００４３】
また請求項１０に記載の電話端末は、
操作者の操作によって、前記第２音声メッセージ記憶手段に記憶された音声メッセージを確認する確認指令を入力するための第２確認指令入力手段と、
該第２確認指令入力手段に確認指令が入力されると、前記第２音声メッセージ記憶手段に記憶された音声メッセージを再生し、該再生後の音声信号を前記送受話器に出力する第２音声メッセージ再生手段と、を備えたことを特徴とする。
【００４４】
このように構成された電話端末によれば、電話端末側で音声メッセージ記憶されている旨を知った利用者が、音声メッセージを再生するための操作を行うと、第２音声メッセージ再生手段は第２音声メッセージ記憶手段に記憶された音声メッセージを再生し、再生後の音声信号を送受話器に出力する。
【００４５】
このため、この電話端末によれば、請求項５に記載のインターネット端末と共に利用することにより、当該電話端末の利用者は、普通の電話端末で行っているように電話端末側で音声メッセージを確認することができる。
また請求項１１に記載のインターネット電話システムは、
請求項２に記載のインターネット端末と、請求項６〜請求項８の何れか記載の電話端末とを備えている、ことを特徴とする。
【００４６】
このように構成されたインターネット電話システムによれば、
請求項２に記載のインターネット端末に、請求項６〜請求項８何れか記載の電話端末を音声信号入出力端子経由で音声信号を入出力可能に接続し、さらに制御信号入出力端子経由で各種制御信号を入出力可能に接続することによって、インターネットを介して他のインターネット端末からインターネット電話用の呼出信号が送信されてきた場合に利用者がインターネット電話を開始する操作をすれば、電話端末の送受話器で間接的にインターネット通話機能による音声通話を行うことができる。
【００４７】
他方、インターネット端末に音声メッセージが記憶された後に第２制御信号入出力端子がインターネット端末に接続されると電話端末側からインターネット端末に音声メッセージが記憶されていることを利用者が知ることができる。
また請求項１２に記載のインターネット電話システムは、
請求項３に記載のインターネット端末と、請求項７または請求項８に記載の電話端末とを備えている、ことを特徴とする。
【００４８】
このように構成されたインターネット電話システムによれば、
請求項３に記載のインターネット端末に、請求項７または請求項８に記載の電話端末を音声信号入出力端子経由で音声信号を入出力可能に接続し、さらに制御信号入出力端子経由で各種制御信号を入出力可能に接続することによって、請求項３に記載のインターネット端末と同様の作用・効果を得ることが出来る。
【００４９】
また請求項１３に記載のインターネット電話システムは、
請求項４に記載のインターネット端末と、請求項８に記載の電話端末とを備えている、ことを特徴とする。
このように構成されたインターネット電話システムによれば、
請求項４に記載のインターネット端末に、請求項８に記載の電話端末を音声信号入出力端子経由で音声信号を入出力可能に接続し、さらに制御信号入出力端子経由で各種制御信号を入出力可能に接続することによって、請求項４に記載のインターネット端末と同様の作用・効果を得ることが出来る。
【００５０】
また請求項１４に記載のインターネット電話システムは、
請求項５に記載のインターネット端末と、請求項９または請求項１０に記載の電話端末とを備えている、ことを特徴とする。
このように構成されたインターネット電話システムによれば、
請求項５に記載のインターネット端末に、請求項９または請求項１０に記載の電話端末を音声信号入出力端子経由で音声信号を入出力可能に接続し、さらに制御信号入出力端子経由で各種制御信号を入出力可能に接続することによって、請求項５に記載のインターネット端末と同様の作用・効果を得ることが出来る。
【００５１】
また請求項１５に記載の端末制御プログラムは、
請求項１〜請求項５何れか記載のインターネット端末における呼出応答判定手段及び着信制御手段としての機能を、コンピュータの処理によって実現する、ことを特徴とする。
【００５２】
このようなプログラムによって制御されるコンピュータシステムは、請求項１に記載のインターネット端末の一部を構成することができ、同インターネット端末と同様の作用・効果を得ることができる。
また請求項１６に記載の端末制御プログラムは、
請求項１５に記載の端末制御プログラムにおいて、更に、請求項２に記載のインターネット端末における音声メッセージ通知手段としての機能を実現するための手順を含むことを特徴とする。
【００５３】
このようなプログラムによって制御されるコンピュータシステムは、請求項２に記載のインターネット端末の一部を構成することができ、同インターネット端末と同様の作用・効果を得ることができる。
また請求項１７に記載の端末制御プログラムは、
請求項６又は請求項７記載の電話端末における第１報知手段、音声信号経路切換手段、インターネット端末制御手段、及び、第２報知手段としての機能を、コンピュータの処理によって実現する、ことを特徴とする。
【００５４】
このようなプログラムによって制御されるコンピュータシステムは、請求項６又は請求項７記載の電話端末の一部を構成することができ、同電話端末と同様の作用・効果を得ることができる。
また請求項１８に記載の端末制御プログラムは、
請求項１７記載の端末制御プログラムにおいて、更に、請求項７に記載の通知応答信号出力手段としての機能を実現するための手順を含むことを特徴とする
このようなプログラムによって制御されるコンピュータシステムは、請求項７記載の電話端末の一部を構成することができ、同電話端末と同様の作用・効果を得ることができる。
【００５５】
また請求項１９に記載の端末制御プログラムは、
請求項９記載の電話端末における第１報知手段、音声信号経路切換手段、インターネット端末制御手段、通知応答信号出力手段、第３報知手段としての機能を、コンピュータの処理によって実現する、ことを特徴とする。
【００５６】
このようなプログラムによって制御されるコンピュータシステムは、請求項９に記載の電話端末の一部を構成することができ、同電話端末と同様の作用・効果を得ることができる。
また請求項２０に記載の端末制御プログラムは、
請求項１９記載の端末制御プログラムにおいて、更に、請求項１０に記載の第２音声メッセージ再生手段としての機能を実現するための手順を含むことを特徴とする。
【００５７】
このようなプログラムによって制御されるコンピュータシステムは、請求項１０に記載の電話端末の一部を構成することができ、同電話端末と同様の作用・効果を得ることができる。
なお、上述した端末制御プログラムは、例えば、ＦＤ、ＣＤ−ＲＯＭなどの記録媒体、インターネットなどの通信回線網を介して、電話端末自身、コンピュータシステム、これらを利用する利用者に提供されるものである。
【００５８】
また、上述した端末制御プログラムを実行するコンピュータシステムとしては、例えば、電話端末に内蔵されたコンピュータシステム、電話端末に無線または有線の通信路を介してデータ通信可能に接続されたコンピュータシステムなどを利用することができる。
【００５９】
【発明の実施の形態】
（実施の形態１）
次に本発明の実施の形態１について例を挙げて説明する。
インターネット電話システム１は、図１に示すように、電話回線網１００経由で伝送される音声信号に基づく音声通話を行う電話端末としての機能を有する複合機２と、インターネット２００経由でデータ通信可能なパーソナルコンピュータ（以降、ＰＣとする）３とが、音声信号を伝送可能なオーディオケーブル３００と制御信号を伝送可能な制御信号ケーブル３０１を介して接続されてなるものである。この制御信号ケーブル３０１としては、例えば、ＵＳＢ（Ｕｎｉｖｅｒｓａｌ　Ｓｅｒｉａｌ　Ｂｕｓ）ケーブル、シリアルケーブル、セントロケーブル、ＩＥＥＥ１３９４ケーブルが使用できるが、制御信号を送受信できるケーブルであれば上記のケーブルに限定されない。
【００６０】
複合機２は、複合機２全体の動作を制御する制御部１１、各種音声信号に基づく音声を再生・記憶する録再部１２、ユーザインターフェース部（以降、ユーザＩ／Ｆとする）１３、複合機２本体から取り外した状態で使用する送受話器であるハンドセット１４、音声入出力部１５、無線通信用の無線通信部１６、電話回線網１００経由で伝送される音声信号を入出力するＮＣＵ（ｎｅｔｗｏｒｋ　ｃｏｎｔｒｏｌ　ｕｎｉｔ）１７、オーディオケーブル３００経由で伝送される音声信号を入出力する音声信号インターフェース部（以降、音声Ｉ／Ｆとする）１８、複合機２内部における音声信号の伝送経路を切り換える経路切換部１９、制御信号ケーブル３０１経由で伝送される制御信号を入出力する制御信号インターフェース部（以降、制御Ｉ／Ｆとする）２０、無線通信部１６との間で無線通信を行う無線通話用の子機端末４などを備えている。
【００６１】
これらのうち、録再部１２は、記憶された各種音声信号を再生するメッセージ再生部１２ａと、留守録によるメッセージを音声信号として記憶するメッセージ録音部１２ｂとからなり、メッセージ再生部１２ａには、着信を受けた際に利用される呼出音、音声通話を保留する際に利用される保留音、留守録機能によりメッセージの録音を開始する旨の留守録メッセージ、などの音声信号が記憶されている。
【００６２】
また、ユーザＩ／Ｆ１３は、利用者により操作可能な複数の操作キー１３ａおよび各種情報を表示する表示パネル１３ｂからなる。
また、音声入出力部１５は、スピーカ１５ａ、マイク１５ｂおよびこれらを駆動する駆動回路１５ｃで構成され、スピーカ１５ａから音声信号に基づく音声を出力する以外に、スピーカ１５ａおよびマイク１５ｂを送受話器として、いわゆるハンズフリー通話を行うために使用することもできる。
【００６３】
また、無線通信部１６は、子機端末４との間で音声信号を含めた各種信号を無線通信により送受信する。
また、経路切換部１９は、複合機２外部との音声信号の入出力に利用する伝送経路をＮＣＵ１７または音声Ｉ／Ｆ１８のいずれかに切り換える。なお、この伝送経路は、初期状態においてＮＣＵ１７に切り換えられている。また、この経路切換部１９は、送受話器として機能する各構成により通話を開始するための操作（以降、オフフック操作とする）が行われた場合に、外部から入力される音声信号の伝送先および外部へ出力する音声信号の伝送元を、オフフック操作が行われた構成に切り換える。具体的には、ハンドセット１４が複合機２本体から取り外された場合はハンドセット１４に切り換えられ、ユーザＩ／Ｆ１３の操作キー１３ａによりハンズフリー通話を開始するための操作が行われた場合は音声入出力部１５に切り換えられ、子機端末４により通話を開始するための操作（後述の操作キー３３ａによる）が行われた場合には無線通信部１６に切り換えられる。また、電話回線網１００からの着信を受けた以降、所定時間内にオフフック操作が行われない場合、または、ユーザＩ／Ｆ１３の操作キー１３ａにより留守録の操作が行われていた場合は、経路切換部１９は、音声信号の伝送先および伝送元を録再部１２に切り換える。なお、こうして伝送先および伝送元が録再部１２に切り換えられた後、録再部１２は、制御部１１からの指令を受けてメッセージ再生部１２ａに記憶されている留守録メッセージを再生し、これによって、留守録メッセージの音声信号が電話回線網１００経由で着信元へ向けて出力される。そして、この音声信号が出力された後、着信元から電話回線網１００を介して入力される音声信号がメッセージ録音部１２ｂにより記憶される。
【００６４】
また、子機端末４は、子機端末４全体の動作を制御する制御部３１、スピーカとマイクおよびこれらを駆動する駆動回路からなる送受話部３２、数字キーを含む複数の操作キー３３ａと各種情報を表示する表示パネル３３ｂからなるユーザＩ／Ｆ３３、あらかじめ記憶された各種音声信号に基づく音声を再生する再生部３４、再生部３４により再生された音声を出力するスピーカおよびスピーカを駆動する駆動回路からなるスピーカ部３５、複合機２本体（の無線通信部１６）との間で音声信号を含めた各種信号を無線通信により送受信する無線通信部３６、子機端末４全体に電源を供給する電池３７、電池３７の残り容量を検出する容量検出部３８などを備えている。この子機端末４の備える再生部３４は、着信を受けた際に利用される呼出音、音声通話を保留する際に利用される保留音などの音声信号が記憶されている。
【００６５】
ＰＣ３は、ＰＣ３全体の動作を制御する制御部２１、各種情報を記憶する記憶部２２、ＰＣ３をインターネット２００に接続するための通信部２３、オーディオケーブル３００を介して音声信号を入出力する音声信号インターフェース部（以降、音声Ｉ／Ｆとする）２４、キーボードおよびマウスなどからなる操作部２５、ディスプレイ２６、制御信号ケーブル３０１経由で伝送される制御信号を入出力する制御信号インターフェース部（以降、制御Ｉ／Ｆとする）２７、各種音声信号に基づく音声を再生・記憶する録再部２８などを備えている。
【００６６】
これらのうち、録再部２８は、記憶された各種音声信号を再生するメッセージ再生部２８ａと、留守録によるメッセージを音声信号として記憶するメッセージ録音部２８ｂとからなり、メッセージ再生部２８ａには、着信を受けた際に利用される呼出音、留守録機能によりメッセージの録音を開始する旨の留守録メッセージ、などの音声信号が記憶されている。
【００６７】
また、このＰＣ３は、インターネット通話機能を有している。このインターネット通話機能は、記憶部２２に組み込まれたアプリケーションソフト（以降、通話用ソフトとする）で示される手順に従って以下に示すインターネット通話開始処理、インターネット通話送受話処理およびインターネット通話停止処理を実行することにより実現される機能である。
【００６８】
まず、インターネット通話開始処理は、インターネット２００を介してデータ通信可能な他のインターネット端末のうち、同じ通話用ソフトが組み込まれたインターネット端末とのコネクションを確立（論理的な通信路の接続）することによって、このインターネット端末とのデータ通信を開始するための処理である。この通話開始処理は、インターネット通話用ソフトが起動した状態でユーザＩ／Ｆ３３の操作キー３３ａなどにより相手側のインターネット端末を指定する操作が行われた際に実行される。
【００６９】
また、インターネット通話送受話処理は、音声信号に基づいてパケット単位のデータを生成し、このデータを通信部２３およびインターネット２００経由で、コネクション確立中のインターネット端末へ送信すると共に、インターネット２００および通信部２３経由でコネクション確立中のインターネット端末から送信されてきたパケット単位のデータに基づいて音声信号を生成する処理である。本実施形態においては、オーディオケーブル３００および音声Ｉ／Ｆ２４経由で複合機２から入力される音声信号に基づきパケット単位のデータが生成され、また、パケット単位のデータに基づいて生成された音声信号は音声Ｉ／Ｆ２４およびオーディオケーブル３００経由で複合機２に出力される。このインターネット通話送受話処理は、インターネット通話開始処理が実行された後、インターネット通話停止処理が実行されるまで繰り返し実行される処理であり、これによって、ＰＣ３（に接続された複合機２）とインターネット２００を介して接続されたインターネット端末との間で音声通話が実現される。
【００７０】
そして、インターネット通話終了処理は、コネクション確立中のインターネット端末とのコネクションを解放（論理的な通信路の切断）することによって、インターネット通話機能を利用した音声通話を終了する処理である。この通話終了処理は、ユーザＩ／Ｆ３３の操作キー３３ａなどによりインターネット通話を停止する操作が行われた際に実行される。なお、インターネット通話用ソフトは、上述の操作が行われた際に、この通話用ソフトの組み込まれたインターネット端末からコネクション確立中のインターネット端末へ、コネクションの解放を通知するための解放信号を送信させるように構成されており、ＰＣ３は、この解放信号を受信した場合にも通話終了処理を実行する。
【００７１】
なお、詳細な説明は省略するが、このＰＣ３の通信部２３からインターネット２００までに至る通信経路のうち一部の区間（利用者側から電話局側までの区間）には、複合機２のＮＣＵ１７から電話回線網１００に至る区間を接続する電話回線が併用されている。この区間においては、ＡＤＳＬ（Ａｓｙｍｍｅｔｒｉｃ　Ｄｉｇｉｔａｌ　Ｓｕｂｓｃｒｉｂｅｒ　Ｌｉｎｅ）技術によって、電話回線網１００を介して伝送される音声信号と、インターネット２００を介して伝送されるデータとが重畳された状態で伝送される。
【００７２】
［インターネット電話システム１による着信処理１］
以下に、複合機２とＰＣ３が制御Ｉ／Ｆ２０，２７を介して接続されている場合の、インターネット電話システム１による着信処理を図２に基づいて説明する。
【００７３】
インターネット電話システム１の利用者が、ＰＣ３の操作部２５を操作することによりインターネット通話用ソフトを起動する（ｓ１０１）。インターネット通話用ソフトを起動しておくことで他のインターネット端末からのインターネット通話要求を受信できる。ＰＣ３においてインターネット通話着信を受信したら（ｓ１０２）、ＰＣ３は複合機２へインターネット通話呼出信号および発信元データを送信する（ｓ１０３）。
【００７４】
インターネット通話呼出信号および発信元データを受信した複合機２は子機端末４へインターネット通話呼出信号および発信元データを送信する（ｓ１０４）。インターネット通話呼出信号および発信元データを受信した子機端末４はインターネット着信音を鳴動させ着信があることを報知し、さらに表示パネル３３ｂに発信元データを表示する（ｓ１０５）。
【００７５】
着信があることを知ったインターネット電話システム１の利用者が子機端末４の操作キー３３ａを操作して、インターネット通話開始操作を行う（ｓ１０６）と、子機端末４は複合機２へインターネット通話呼出応答信号を送信する（ｓ１０７）。インターネット通話呼出応答信号を受信した複合機２はＰＣ３へインターネット通話呼出応答信号を送信し（ｓ１０８）、音声信号の出力先、入力先を音声Ｉ／Ｆ１８に切り換える（ｓ１０９）。
【００７６】
インターネット通話呼出応答信号を受信したＰＣ３は相手側インターネット端末とのコネクションを確立（論理的な通信路の接続）することによって、このインターネット端末とのデータ通信を開始すると共に相手側インターネット端末に接続応答を送信し（ｓ１１０）、さらに複合機２へ接続応答通知を送信する（ｓ１１１）。
【００７７】
接続応答通知を受信した複合機２は、子機端末４へ接続応答通知を送信する（ｓ１１２）。接続応答通知を受信した子機端末４は、インターネット通話が可能になった旨を表示パネル３３ｂに表示するなどしてインターネット電話システム１の利用者に通知する（ｓ１１３）。これにより、子機端末４の送受話部３２から入力した音声は無線通信部３６経由で複合機２へ出力され、さらに複合機２の音声Ｉ／Ｆ１８を経由してＰＣ３へ出力され、またＰＣ３から音声Ｉ／Ｆ１８を経由して複合機２へ入力した音声は、無線通信部１６を経由して子機端末４の送受話部３２に出力されるため、子機端末４によるインターネット通話が可能になる。
【００７８】
その後、インターネット電話システム１の利用者が子機端末４の操作キー３３ａを操作して、インターネット通話停止操作を行う（ｓ１１４）と、子機端末４は複合機２へインターネット通話停止指令を送信する（ｓ１１５）。インターネット通話停止指令を受信した複合機２はＰＣ３へインターネット電話停止指令を送信し（ｓ１１６）、音声信号の出力先、入力先をＮＣＵ１７に切り換える（ｓ１１７）。
【００７９】
インターネット電話停止指令を受信したＰＣ３はインターネット通話を終了し（ｓ１１８）、複合機２へインターネット通話停止通知を送信する（ｓ１１９）。インターネット通話停止通知を受信した複合機２はインターネット通話停止通知を子機端末４へ送信する（ｓ１２０）。通話停止通知を受信した子機端末４はインターネット通話停止の旨を表示パネル３３ｂに表示する（ｓ１２１）。
【００８０】
なお、上述したインターネット電話システム１による着信処理では、ｓ１０９における音声信号出力先、入力先の音声Ｉ／Ｆ１８への切り換えは、ｓ１０７におけるインターネット通話開始指令受信の後に行っているが、ｓ１１１における接続応答通知受信の後に行っても良い。つまり、ｓ１０６におけるインターネット通話開始操作から、ｓ１１３におけるインターネット通話可能表示の間に、音声信号出力先、入力先の音声Ｉ／Ｆ１８への切り換えを行えばよい。
【００８１】
同様に、ｓ１１７における音声信号出力先、入力先のＮＣＵ１７への切り換えは、ｓ１１５におけるインターネット通話停止指令受信の後に行っているが、ｓ１１９におけるインターネット通話停止通知受信の後に行っても良い。つまり、ｓ１１４におけるインターネット通話停止操作から、ｓ１２１におけるインターネット通話停止表示の間に、音声信号出力先、入力先のＮＣＵ１７への切り換えを行えばよい。
【００８２】
［インターネット電話システム１による着信処理２］
以下に、複合機２とＰＣ３が制御Ｉ／Ｆ２０，２７を介して接続されていない場合の、インターネット電話システム１による着信処理を図３に基づいて説明する。
【００８３】
インターネット電話システム１の利用者が、ＰＣ３の操作部２５を操作することによりインターネット通話用ソフトを起動する（ｓ２０１）。インターネット通話用ソフトを起動しておくことで他のインターネット端末からのインターネット通話要求を受信できる。ＰＣ３においてインターネット通話着信を受信したら（ｓ２０２）、ＰＣ３は複合機２へインターネット通話呼出信号および発信元データを送信する（ｓ２０３）。
【００８４】
しかし、複合機２とＰＣ３が制御Ｉ／Ｆ２０，２７を介して接続されていないため、複合機２からＰＣ３にインターネット通話呼出応答信号は入力されない。ＰＣ３は、インターネット通話着信から所定時間内（例えば、１０秒）にインターネット通話呼出応答信号が入力されないと判断する（ｓ２０４）と、相手側インターネット端末とのコネクションを確立（論理的な通信路の接続）することによって、相手側インターネット端末とのデータ通信を開始すると共に相手側インターネット端末に接続応答を送信する（ｓ２０５）。
【００８５】
そして、ＰＣ３は留守録機能によりメッセージの録音を開始する旨の留守番電話案内音声を相手側インターネット端末に送信する（ｓ２０６）。その後、相手側インターネット端末から音声信号が送信されてくる（ｓ２０７）ので、ＰＣ３はその音声信号を録音メッセージ記録部２８ｂに記憶する（ｓ２０８）。その後、相手側インターネット端末からＰＣ３へインターネット通話終了通知が送信されてきたら（ｓ２０９）、音声信号を録音メッセージ記録部２８ｂに記憶する処理を終了し（ｓ２１０）、インターネット通話を終了する（ｓ２１１）。
【００８６】
［インターネット電話システム１による留守録通知処理］
以下に、ＰＣ３に相手側インターネット端末からの音声メッセージが記憶された場合の留守録通知処理を図４に基づいて説明する。
ＰＣ３に相手側インターネット端末からの音声メッセージが記憶されると、ＰＣ３は複合機２へインターネット通話留守録通知を送信する（ｓ３０１）。これは、例えば５分毎に１回行い、複合機２からインターネット通話留守録応答通知を受信するまで行われる。
【００８７】
その後、複合機２とＰＣ３が制御Ｉ／Ｆ２０，２７を介して接続されると、複合機２はインターネット通話留守録通知を受信する。インターネット通話留守録通知を受信した複合機２は、表示パネル１３ｂに留守録がある旨を表示し（ｓ３０２）、ＰＣ３へインターネット通話留守録応答通知を送信する（ｓ３０３）。そして、子機端末４へインターネット通話留守録通知を送信する（ｓ３０４）。インターネット通話留守録通知を受信した子機端末４は表示パネル３３ｂに留守録がある旨を表示する（ｓ３０５）。
【００８８】
留守録があることを知ったインターネット電話システム１の利用者が子機端末４の操作キー３３ａを操作して、留守録再生操作を行う（ｓ３０６）と、子機端末４は複合機２へインターネット通話留守録再生指令を送信する（ｓ３０７）。インターネット通話留守録再生指令を受信した複合機２はＰＣ３へインターネット通話留守録再生指令を送信し（ｓ３０８）、音声信号の出力先、入力先を音声Ｉ／Ｆ１８に切り換える（ｓ３０９）。
【００８９】
インターネット通話留守録再生指令を受信したＰＣ３は、メッセージ録音部２８ｂに記憶された音声メッセージを再生し音声Ｉ／Ｆ２４を経由して複合機２へ出力する（ｓ３１０）。ＰＣ３から音声Ｉ／Ｆ１８を経由して複合機２へ入力した音声は、無線通信部１６を経由して子機端末４の送受話部３２に出力される（ｓ３１１）ため、子機端末４の送受話部３２から留守録された音声メッセージを聞くことができる。
【００９０】
［複合機２の制御部１１によるインターネット通話処理］
次に、図５〜図１０を用いて、複合機２の制御部１１が実行するインターネット通話処理について説明する。
図５は、インターネット通話処理を表すフローチャートである。このインターネット通話処理は複合機２が起動（電源ＯＮ）している間に繰り返し実行される処理である。
【００９１】
このインターネット通話処理を実行すると、制御部１１は、まずｓ１０１０にて、子機において通話に関連した動作（子機にてインターネット通話中等）が行われているか否か判断する。そして、子機において通話に関連した動作が行われていなければ（ｓ１０１０：ＮＯ）、処理をｓ１０２０に移して、ＰＣ３から制御信号を受信したか否か判断する。ここで、制御信号を受信したと判断すると（ｓ１０２０：ＹＥＳ）、ｓ１０３０に処理を移して、子機非動作中ＰＣ制御信号判断処理を実行する。当該子機非動作中ＰＣ制御信号判断処理が終了すると、制御部１１は、当該インターネット通話処理を終了する。
【００９２】
この子機非動作中ＰＣ制御信号判断処理は、図６に示す手順で実行される。即ち、この子機非動作中ＰＣ制御信号判断処理では、制御部１１は、まずｓ１２１０にて、制御信号がインターネット通話呼出信号であるか否か判断する。ここで、インターネット通話呼出信号であると判断すると（ｓ１２１０：ＹＥＳ）、ｓ１２２０に処理を移し、着信処理を実行する。当該着信処理が終了すると、制御部１１は、当該子機非動作中ＰＣ制御信号判断処理を終了する。
【００９３】
この着信処理は、図７に示す手順で実行される。即ち、この着信処理では、制御部１１は、まずｓ１４１０にて、留守番電話機能がＯＮであるか否か判断する。ここで、留守番電話機能がＯＮでないと判断すると（ｓ１４１０：ＮＯ）、ｓ１４２０に処理を移し、子機端末４へインターネット通話呼出信号と発信元データを送信して、当該着信処理を終了する。
【００９４】
尚、当該インターネット電話システム１は、操作キー１３ａあるいは操作キー３３ａに設けられた留守番電話キー（図示せず）の利用者による押下により留守番電話機能をＯＮにする構成にされており、この留守番電話機能は、再び留守番電話キーの利用者による押下により留守番電話機能を解除するまで、ＯＮ状態で維持される。
【００９５】
一方、ｓ１４１０にて、留守番電話機能がＯＮであると判断すると（ｓ１４１０：ＹＥＳ）、処理をｓ１４３０に移し、音声信号の出力先、入力先を音声Ｉ／Ｆ１８に切り換え（ｓ１４３０）、ＰＣ３へ留守録機能によりメッセージの録音を開始する旨の留守番電話案内音声をメッセージ再生部１２ａから、音声Ｉ／Ｆ１８を介して送信する（ｓ１４４０）。留守番電話案内音声の送信が完了した後に、発信元から音声Ｉ／Ｆ１８を介して入力された音声信号を録音メッセージ記録部１２ｂに録音する留守録処理を行う（ｓ１４５０）。留守録処理完了の後に、ＰＣ３へインターネット通話停止指令を送信し（ｓ１４６０）、当該着信処理を終了する。
【００９６】
また、ｓ１２１０にて、制御信号がインターネット通話呼出信号でないと判断すると（ｓ１２１０：ＮＯ）、処理をｓ１２３０に移し、制御信号がインターネット通話留守録通知であるか否か判断する。ここで、インターネット通話留守録通知であると判断すると（ｓ１２３０：ＹＥＳ）、ｓ１２４０に処理を移し、ＰＣ３へインターネット通話留守録応答通知を送信し、次にｓ１２５０に処理を移し、留守録表示処理を行う。この処理では、留守録メッセージがある旨を表示パネル１３ｂに表示する。そして、当該留守録表示処理終了後にｓ１２６０に処理を移し、子機端末４へインターネット通話留守録応答通知を送信して、当該子機非動作中ＰＣ制御信号判断処理を終了する。
【００９７】
図５のインターネット通話処理に戻り、ｓ１０２０にてＰＣ３から制御信号を受信していないと判断すると（ｓ１０２０：ＮＯ）、処理をｓ１０４０に移し、子機端末４から制御信号を受信したか否か判断する。ここで、子機端末４から制御信号を受信したと判断すると（ｓ１０４０：ＹＥＳ）、子機非動作中子機制御信号判断処理を実行する。当該子機非動作中子機制御信号判断処理が終了すると、制御部１１は、当該インターネット通話処理を終了する。
【００９８】
この子機非動作中子機制御信号判断処理は、図８に示す手順で実行される。即ち、この子機非動作中子機制御信号判断処理では、制御部１１は、まずｓ１６１０にて、制御信号がインターネット通話呼出応答信号であるか否か判断する。ここで、インターネット通話呼出応答信号であると判断すると（ｓ１６１０：ＹＥＳ）、ＰＣ３へインターネット通話呼出応答信号を送信し（ｓ１６２０）、その後に、音声信号の出力先、入力先を音声Ｉ／Ｆ１８に切り換え（ｓ１６３０）、当該子機非動作中子機制御信号判断処理を終了する。
【００９９】
一方、ｓ１６１０にて、制御信号がインターネット通話呼出応答信号でないと判断すると（ｓ１６１０：ＮＯ）、処理をｓ１６４０に移し、制御信号がインターネット通話留守録再生指令であるか否か判断する。ここで、インターネット通話留守録再生指令であると判断すると（ｓ１６４０：ＹＥＳ）、ｓ１６５０に処理を移し、ＰＣ３へインターネット通話留守録再生指令を送信し（ｓ１６５０）、その後に、音声信号の出力先、入力先を音声Ｉ／Ｆ１８に切り換え（ｓ１６６０）、当該子機非動作中子機制御信号判断処理を終了する。
【０１００】
また、ｓ１６４０にて、インターネット通話留守録再生指令でないと判断すると（ｓ１６４０：ＮＯ）、制御部１１は、当該子機非動作中子機制御信号判断処理を終了する。
図５のインターネット通話処理に戻り、ｓ１０４０にて子機端末４から制御信号を受信していないと判断すると（ｓ１０４０：ＮＯ）、制御部１１は、当該インターネット通話処理を終了する。
【０１０１】
一方、ｓ１０１０にて、子機端末４において通話に関連した動作が行われていると判断すると（ｓ１０１０：ＹＥＳ）、ｓ１０６０にて、ＰＣ３から制御信号を受信したか否か判断する。ここで、制御信号を受信したと判断すると（ｓ１０６０：ＹＥＳ）、ｓ１０７０に処理を移して、子機動作中ＰＣ制御信号判断処理を実行する。当該子機動作中ＰＣ制御信号判断処理が終了すると、制御部１１は、当該インターネット通話処理を終了する。
【０１０２】
この子機動作中ＰＣ制御信号判断処理は、図９に示す手順で実行される。即ち、このＰＣ制御信号判断処理では、制御部１１は、まずｓ１８１０にて、制御信号が接続応答通知であるか否か判断する。ここで、接続応答通知であると判断すると（ｓ１８１０：ＹＥＳ）、ｓ１８２０に処理を移し、子機端末４へ接続応答通知を送信し、当該子機動作中ＰＣ制御信号判断処理を終了する。
【０１０３】
一方、ｓ１８１０にて、制御信号が接続応答通知でないと判断すると（ｓ１８１０：ＮＯ）、処理をｓ１８３０に移し、制御信号がインターネット通話停止通知であるか否か判断する。ここで、インターネット通話停止通知であると判断すると（ｓ１８３０：ＹＥＳ）、ｓ１８４０に処理を移し、子機端末４へインターネット通話停止通知を送信し、当該ＰＣ制御信号判断処理を終了する。
【０１０４】
また、ｓ１８３０にて、インターネット通話停止通知でないと判断すると（ｓ１８３０：ＮＯ）、制御部１１は、当該子機動作中ＰＣ制御信号判断処理を終了する。
図５のインターネット通話処理に戻り、ｓ１０６０にて、ＰＣ３から制御信号を受信していないと判断すると（ｓ１０６０：ＮＯ）、処理をｓ１０８０に移し、子機端末４から制御信号を受信したか否か判断する。ここで、制御信号を受信したと判断すると（ｓ１０８０：ＹＥＳ）、ｓ１０９０に処理を移して、子機動作中子機制御信号判断処理を実行する。当該子機動作中子機制御信号判断処理が終了すると、制御部１１は、当該インターネット通話処理を終了する。
【０１０５】
この子機動作中子機制御信号判断処理は、図１０に示す手順で実行される。即ち、この子機動作中子機制御信号判断処理では、制御部１１は、まずｓ２０１０にて、制御信号がインターネット通話停止指令であるか否か判断する。ここで、インターネット通話停止指令であると判断すると（ｓ２０１０：ＹＥＳ）、ｓ２０２０に処理を移し、ＰＣ３へインターネット電話停止指令を送信する。ｓ２０２０における処理が終了すると、ｓ２０３０に処理を移し、音声信号の出力先と入力先をＮＣＵ１７に切り換え、この後に、当該子機動作中子機制御信号判断処理を終了する。
【０１０６】
一方、ｓ２０１０にて、インターネット通話停止指令でないと判断すると（ｓ２０１０：ＮＯ）、制御部１１は、当該子機動作中子機制御信号判断処理を終了する。
図５のインターネット通話処理に戻り、ｓ１０８０にて、子機端末４から制御信号を受信していないと判断すると（ｓ１０８０：ＮＯ）、制御部１１は、当該インターネット通話処理を終了する。
【０１０７】
［ＰＣ３の制御部２１によるインターネット通話処理］
次に、図１１〜図１３を用いて、ＰＣ３の制御部２１が実行するインターネット通話処理について説明する。図１１は、インターネット通話処理を表すフローチャートである。このインターネット通話処理はＰＣ３が起動（電源ＯＮ）している間に繰り返し実行される処理である。このインターネット通話処理を実行すると、制御部２１は、まずｓ２２１０にて、複合機２から制御信号を受信したか否か判断する。ここで、制御信号を受信したと判断すると（ｓ２２１０：ＹＥＳ）、複合機制御信号判断処理を実行する（ｓ２２２０）。当該複合機制御信号判断処理が終了すると、制御部２１は、ｓ２２５０に処理を移す。
【０１０８】
この複合機制御信号判断処理は、図１２に示す手順で実行される。即ち、この複合機制御信号判断処理では、制御部２１は、まずｓ２４１０にて、インターネット通話呼出応答信号であるか否か判断する。ここで、インターネット通話呼出応答信号であると判断すると（ｓ２４１０：ＹＥＳ）、ｓ２４２０に処理を移し、接続応答処理を行い、この後に、当該複合機制御信号判断処理を終了する。
【０１０９】
また、ｓ２４１０にて、インターネット通話呼出応答信号でないと判断すると（ｓ２４１０：ＮＯ）、ｓ２４３０にて、インターネット電話停止指令であるか否か判断する。ここで、インターネット電話停止指令であると判断すると（ｓ２４３０：ＹＥＳ）、ｓ２４４０に処理を移して、インターネット通話終了処理を行う。
【０１１０】
この処理では、コネクション確立中のインターネット端末とのコネクションを解放（論理的な通信路の切断）することによって、インターネット通話機能を利用した音声通話を終了する。そして、当該インターネット通話終了処理終了後に、ｓ２４５０に処理を移し、複合機２へインターネット通話停止通知を送信する。その後、当該複合機制御信号判断処理を終了する。
【０１１１】
一方、ｓ２４３０にて、インターネット電話停止指令でないと判断すると（ｓ２４３０：ＮＯ）、ｓ２４６０にて、インターネット通話留守録応答通知であるか否か判断する。ここで、インターネット通話留守録応答通知であると判断すると（ｓ２４６０：ＹＥＳ）、ｓ２４７０に処理を移して、複合機２へインターネット通話留守録通知を送信する処理を終了する。そして、当該ＰＣ制御信号判断処理を終了する。
【０１１２】
また、ｓ２４６０にて、インターネット通話留守録応答通知でないと判断すると（ｓ２４６０：ＮＯ）、ｓ２４８０にて、インターネット通話留守録再生指令であるか否か判断する。ここで、インターネット通話留守録再生指令であると判断すると（ｓ２４８０：ＹＥＳ）、ｓ２４９０に処理を移して、インターネット通話留守録再生処理を行う。
【０１１３】
この処理では、メッセージ録音部２８ｂに記憶された音声メッセージをメッセージ再生部２８ａにより再生し、再生後の音声メッセージ音声Ｉ／Ｆ２４へ出力する。
一方、ｓ２４８０にて、インターネット通話留守録再生指令でないと判断すると（ｓ２４８０：ＮＯ）、制御部２１は、当該複合機制御信号判断処理を終了する。
【０１１４】
図１１のインターネット通話処理に戻り、ｓ２２１０にて、複合機２から制御信号を受信していないと判断すると（ｓ２２１０：ＮＯ）、処理をｓ２２３０に移し、インターネット通話用ソフト関連情報を取得したか否か判断する。ここで、インターネット通話用ソフト関連情報を取得したと判断すると（ｓ２２３０：ＹＥＳ）、ｓ２２４０に処理を移して、インターネット通話用ソフト関連情報判断処理を実行する。当該インターネット通話用ソフト関連情報判断処理が終了すると、制御部２１は、ｓ２２５０に処理を移す。
【０１１５】
このインターネット通話用ソフト関連情報判断処理は、図１３に示す手順で実行される。即ち、このインターネット通話用ソフト関連情報判断処理では、制御部２１は、まずｓ２６１０にて、相手からの着信であるか否か判断する。ここで、相手からの着信であると判断すると（ｓ２６１０：ＹＥＳ）、ｓ２６２０に処理を移し、複合機２へインターネット通話呼出信号および発信元データを送信する。その後、ｓ２６３０に処理を移し、着信が開始されてから所定時間が経過したか否か判断する。ここで、着信が開始されてから所定時間が経過したと判断すると（ｓ２６３０：ＹＥＳ）、ｓ２６４０に処理を移し、接続応答処理を行う。
【０１１６】
この接続応答処理では、相手側インターネット端末とのコネクションを確立（論理的な通信路の接続）することによって、相手側インターネット端末とのデータ通信を開始する。
この後にｓ２６５０に処理を移し、メッセージの録音を開始する旨の留守番電話案内音声をメッセージ再生部２８ａにて再生して、通話相手先インターネット端末へ送信する。留守番電話案内音声の送信が完了した後に、ｓ２６６０に処理を移し、相手先インターネット端末から送信される音声をメッセージ録音部２８ｂに記憶する留守録処理を開始する。留守録処理が開始されたら、当該インターネット通話ソフト関連情報判断処理を終了する。
【０１１７】
一方、ｓ２６３０にて、着信が開始されてから所定時間が経過していないと判断すると（ｓ２６３０：ＮＯ）、制御部２１は、当該インターネット通話ソフト関連情報判断処理を終了する。
また、ｓ２６１０にて、通話相手からの着信でないと判断すると（ｓ２６１０：ＮＯ）、ｓ２６７０にて、通話相手からのインターネット通話終了通知であるか否か判断する。ここで、インターネット通話終了通知であると判断すると（ｓ２６７０：ＹＥＳ）、ｓ２６８０に処理を移して、インターネット通話終了処理を行う。
【０１１８】
この処理では、コネクション確立中のインターネット端末とのコネクションを解放（論理的な通信路の切断）することによって、インターネット通話機能を利用した音声通話を終了する。そして、当該インターネット通話終了処理終了後に、当該複合機制御信号判断処理を終了する。
【０１１９】
また、ｓ２６７０にて、通話相手からのインターネット通話終了通知でないと判断すると（ｓ２６７０：ＮＯ）、制御部２１は、当該インターネット通話ソフト関連情報判断処理を終了する。
図１１のインターネット通話処理に戻り、ｓ２２３０にて、インターネット通話ソフト関連情報を取得していないと判断する（ｓ２２３０：ＮＯ）と、制御部２１は、ｓ２２５０に処理を移す。
【０１２０】
ｓ２２５０では、インターネット通話中であるか否か判断する。ここで、インターネット通話中であると判断すると（ｓ２２５０：ＹＥＳ）、ｓ２２６０に処理を移して、インターネット通話送受話処理を行う。この処理では、オーディオケーブル３００および音声Ｉ／Ｆ２４経由で複合機２から入力される音声信号に基づきパケット単位のデータを生成し、このデータを通信部２３およびインターネット２００経由で、コネクション確立中のインターネット端末へ送信すると共に、インターネット２００および通信部２３経由でコネクション確立中のインターネット端末から送信されてきたパケット単位のデータに基づいて生成した音声信号を、音声Ｉ／Ｆ２４およびオーディオケーブル３００経由で複合機２に出力する。そして、当該インターネット通話処理を終了する。
【０１２１】
一方、ｓ２２５０でインターネット通話中でないと判断すると（ｓ２２５０：ＮＯ）、ｓ２２７０にて、留守録中であるか否か判断する。ここで、留守録中であると判断すると（ｓ２２７０：ＹＥＳ）、ｓ２２８０に処理を移して、相手先インターネット端末から送信される音声をメッセージ録音部２８ｂに記憶する留守録処理を行う。この後、ｓ２２９０に処理を移して、インターネット通話終了処理によりインターネット通話が終了したか否か判断する。ここで、インターネット通話が終了したと判断すると（ｓ２２９０：ＹＥＳ）、ｓ２３００に処理を移して、留守録処理を終了する。そして、当該インターネット通話処理を終了する。
【０１２２】
また、ｓ２２９０でインターネット通話が終了していないと判断すると（ｓ２２９０：ＮＯ）、制御部２１は、当該インターネット通話処理を終了する。
一方、ｓ２２７０で留守録中でないと判断すると（ｓ２２７０：ＮＯ）、ｓ２３１０にて、留守録された音声メッセージがあるか否か判断する。ここで、留守録された音声メッセージがあると判断すると（ｓ２３１０：ＹＥＳ）、ｓ２３２０に処理を移して、前回のインターネット通話留守録通知の送信から所定時間（例えば５分）を経過したか否か判断する。前回のインターネット通話留守録通知の送信から所定時間を経過したと判断すると（ｓ２３２０：ＹＥＳ）、ｓ２３３０に処理を移して、複合機２へインターネット通話留守録通知を送信する。その後、当該インターネット通話処理を終了する。
【０１２３】
また、ｓ２３２０にて、前回のインターネット通話留守録通知の送信から所定時間を経過していないと判断すると（ｓ２３２０：ＮＯ）、制御部２１は、当該インターネット通話処理を終了する。
一方、ｓ２３１０にて、留守録された音声メッセージがないと判断すると（ｓ２３１０：ＮＯ）、制御部２１は、当該インターネット通話処理を終了する。
【０１２４】
［子機端末４の制御部３１によるインターネット通話処理］
次に、図１４〜図１６を用いて、子機端末４の制御部３１が実行するインターネット通話処理について説明する。図１４は、インターネット通話処理を表すフローチャートである。このインターネット通話処理は子機端末４が起動（電源ＯＮ）している間に繰り返し実行される処理である。
【０１２５】
このインターネット通話処理を実行すると、制御部３１は、まずｓ２８１０にて、複合機２から制御信号を受信したか否か判断する。ここで、制御信号を受信したと判断すると（ｓ２８１０：ＹＥＳ）、複合機制御信号判断処理を実行する（ｓ２８２０）。当該複合機制御信号判断処理が終了すると、制御部３１は、当該インターネット通話処理を終了する。
【０１２６】
この複合機制御信号判断処理は、図１５に示す手順で実行される。即ち、この複合機制御信号判断処理では、制御部３１は、まずｓ３０１０にて、インターネット通話呼出信号であるか否か判断する。ここで、インターネット通話呼出信号であると判断すると（ｓ３０１０：ＹＥＳ）、ｓ３０２０に処理を移し、インターネット通話着信音鳴動処理を行う。この処理では、再生部３４による呼出音の再生を行い、呼出音はスピーカ部３５から出力される。
【０１２７】
その後、ｓ３０３０に処理を移し、発信元データを受信しているか否か判断する。ここで、発信元データを受信していると判断すると（ｓ３０３０：ＹＥＳ）、ｓ３０４０に処理を移し、発信元表示処理を行う。この処理では、発信元データを表示パネル３３ｂに表示する。そして、当該発信元表示処理終了後に、当該複合機制御信号判断処理を終了する。一方、ｓ３０３０にて、発信元データを受信していないと判断すると（ｓ３０３０：ＮＯ）、制御部３１は、当該複合機制御信号判断処理を終了する。
【０１２８】
一方、ｓ３０１０にて、インターネット通話呼出信号でないと判断すると（ｓ３０１０：ＮＯ）、処理をｓ３０５０に移し、接続応答通知であるか否か判断する。ここで、接続応答通知であると判断すると（ｓ３０５０：ＹＥＳ）、ｓ３０６０に処理を移し、インターネット通話可能表示処理を行う。この処理では、表示パネル３３ｂに、インターネット通話が可能である旨のメッセージを表示する。当該インターネット通話可能表示処理終了後に、当該複合機制御信号判断処理を終了する。
【０１２９】
また、ｓ３０５０にて、インターネット通話呼出信号でないと判断すると（ｓ３０５０：ＮＯ）、処理をｓ３０７０に移し、インターネット通話停止通知であるか否か判断する。ここで、インターネット通話停止通知であると判断すると（ｓ３０７０：ＹＥＳ）、ｓ３０８０に処理を移し、インターネット通話停止表示処理を行う。この処理では、表示パネル３３ｂに、インターネット通話が停止した旨のメッセージを表示する。そして、当該インターネット通話停止表示処理終了後に、当該複合機制御信号判断処理を終了する。
【０１３０】
一方、ｓ３０７０にて、インターネット通話停止通知でないと判断すると（ｓ３０７０：ＮＯ）、処理をｓ３０９０に移し、インターネット通話留守録通知であるか否か判断する。ここで、インターネット通話留守録通知であると判断すると（ｓ３０９０：ＹＥＳ）、ｓ３１００に処理を移し、インターネット通話留守録表示処理を行う。この処理では、表示パネル３３ｂに、音声メッセージがＰＣ３に記憶されている旨のメッセージを表示する。当該インターネット通話留守録表示処理終了後に、当該複合機制御信号判断処理を終了する。
【０１３１】
また、ｓ３０９０にて、インターネット通話留守録通知でないと判断すると（ｓ３０９０：ＮＯ）、制御部３１は、当該複合機制御信号判断処理を終了する。図１４のインターネット通話処理に戻り、ｓ２８１０にて、複合機２から制御信号を受信していないと判断すると（ｓ２８１０：ＮＯ）、処理をｓ２８３０に移し、操作キー３３ａの操作が行われたか否か判断する。ここで、操作キー３３ａの操作が行われたと判断すると（ｓ２８３０：ＹＥＳ）、ｓ２８４０に処理を移して、子機操作判断処理を実行する。当該子機操作判断処理が終了すると、制御部３１は、当該インターネット通話処理を終了する。
【０１３２】
この子機操作判断処理は、図１６に示す手順で実行される。即ち、この子機操作判断処理では、制御部３１は、まずｓ３２１０にて、インターネット通話開始操作であるか否か判断する。ここで、インターネット通話開始操作であると判断すると（ｓ３２１０：ＹＥＳ）、ｓ３２２０に処理を移し、複合機２へインターネット通話呼出応答信号を送信して、当該子機操作判断処理を終了する。
【０１３３】
一方、ｓ３２１０にて、インターネット通話開始操作でないと判断すると（ｓ３２１０：ＮＯ）、処理をｓ３２３０に移し、インターネット通話停止操作であるか否か判断する。ここで、インターネット通話停止操作であると判断すると（ｓ３２３０：ＹＥＳ）、ｓ３２４０に処理を移し、複合機２へインターネット通話停止指令を送信して、当該子機操作判断処理を終了する。
【０１３４】
また、ｓ３２３０にて、インターネット通話停止操作でないと判断すると（ｓ３２３０：ＮＯ）、処理をｓ３２５０に移し、インターネット通話留守録再生操作であるか否か判断する。ここで、インターネット通話留守録再生操作であると判断すると（ｓ３２５０：ＹＥＳ）、ｓ３２６０に処理を移し、複合機２へインターネット通話留守録再生指令を送信して、当該子機操作判断処理を終了する。
【０１３５】
一方、ｓ３２５０にて、インターネット通話留守録再生操作でないと判断すると（ｓ３２５０：ＮＯ）、制御部３１は、当該子機操作判断処理を終了する。
図１４のインターネット通話処理に戻り、ｓ２８３０にて、操作キー３３ａの操作が行われていないと判断すると（ｓ２８３０：ＮＯ）、制御部３１は、当該インターネット通話処理を終了する。
【０１３６】
［本発明との対応関係］
以上説明した実施形態において、複合機２は本発明における電話端末、ＰＣ３は本発明におけるインターネット端末である。
また、複合機２の備えるメッセージ録音部１２ｂは本発明における第２音声メッセージ記憶手段、ユーザＩ／Ｆ１３は本発明における通話開始指令入力手段、第１確認指令入力手段および第２確認指令入力手段、音声Ｉ／Ｆ１８は本発明における第２音声信号入出力端子、経路切換部１９は本発明における音声信号経路切換手段、制御Ｉ／Ｆ２０は本発明における第２制御信号入出力端子である。
【０１３７】
また、ＰＣ３の備えるメッセージ録音部２８ｂは本発明における第１音声メッセージ記憶手段、音声Ｉ／Ｆ２４は本発明における第１音声信号入出力端子、制御Ｉ／Ｆ２７は本発明における第１制御信号入出力端子である。
また、子機端末４の備えるユーザＩ／Ｆ３３は本発明における通話開始指令入力手段、第１確認指令入力手段および第２確認指令入力手段である。
【０１３８】
また、図１１におけるｓ２２６０の処理は本発明における音声信号中継手段として機能している。
また、図１３におけるｓ２６３０の処理は本発明における呼出応答判定手段として機能している。
【０１３９】
また、図１２におけるｓ２４１０〜ｓ２４２０の処理および図１３におけるｓ２６４０〜ｓ２６６０の処理は本発明における着信制御手段として機能している。
また、図１１におけるｓ２３１０〜ｓ２３３０の処理は本発明における音声メッセージ通知手段として機能している。
【０１４０】
また、図１２におけるｓ２４９０の処理は本発明における第１音声メッセージ再生手段として機能している。
また、図１５におけるｓ３０２０の処理は本発明における第１報知手段として機能している。
【０１４１】
また、図８におけるｓ１６２０の処理は本発明におけるインターネット端末制御手段として機能している。
また、図６におけるｓ１２５０の処理は本発明における第２報知手段として機能している。
【０１４２】
また、図６におけるｓ１２４０の処理は本発明における通知応答信号出力手段として機能している。
［効果］
このように構成されたインターネット電話システム１によれば、インターネットを介して他のインターネット端末からインターネット通話の着信を受信したら、ＰＣ３は複合機２にインターネット通話呼出信号を送信する。そして、複合機２にインターネット通話呼出信号が入力されると、複合機２はインターネット通話の着信がある旨を報知する。インターネット通話の着信があることを知った利用者により複合機２または子機端末４からインターネット通話を開始する操作が行われると、複合機２はＰＣ３にインターネット通話呼出応答信号を出力する。そして、ＰＣ３にインターネット通話呼出応答信号が入力されると、図１２における２４２０の処理によって接続応答をし、さらに図１１におけるｓ２２６０の処理によって、音声Ｉ／Ｆ２４に入力された音声信号をインターネットを介して他のインターネット端末に送信し、他のインターネット端末からインターネットを介して送信されてきた音声信号を音声Ｉ／Ｆ２４から複合機２へ出力させる。
【０１４３】
このように、インターネットを介して他のインターネット端末からインターネット通話の着信を受信した場合に利用者がインターネット通話を開始する操作をすれば、複合機２または子機端末４の送受話器で間接的にインターネット通話機能による音声通話を行うことができる。
【０１４４】
他方、制御Ｉ／Ｆ２７が複合機２に接続されていない時には、ＰＣ３は複合機２にインターネット通話呼出信号を送信しても複合機２にインターネット通話呼出信号が入力されず、且つＰＣ３にインターネット通話呼出応答信号が入力されないため、図１３におけるｓ２６３０の処理によって、インターネット通話呼出応答信号が入力されないと判定し、図１３におけるｓ２６４０〜ｓ２６６０の処理によって、他のインターネット端末に、音声メッセージの送信を促す音声案内を行い、その後、他のインターネット端末から送信されてくる音声メッセージをメッセージ録音部２８ｂに記憶させる。
【０１４５】
即ち、制御Ｉ／Ｆ２７が複合機２に接続されていない等の理由によりＰＣ３に呼出応答信号が入力されない場合には、ＰＣ３が、現在電話に出ることができない旨の音声信号を通話相手に送信し、通話相手からのメッセージを記憶するという、いわゆる、留守録機能を可能にする。
【０１４６】
また、上述の通話相手からのメッセージを記憶された後に、図１１におけるｓ２３１０〜ｓ２３３０の処理によって、ＰＣ３はインターネット通話留守録通知を複合機２に送信する。さらに、インターネット通話留守録通知を受信した複合機２は図６におけるｓ１２５０の処理によって、音声メッセージがＰＣ３に記憶されている旨を報知する。
【０１４７】
このため、制御Ｉ／Ｆ２７が複合機２に接続されると、複合機２側から音声メッセージがＰＣ３に記憶されていることを知ることができる。
また、インターネット通話留守録通知を受信した複合機２は図６におけるｓ１２４０の処理によって、インターネット通話留守録応答通知をＰＣ３に送信する。さらに、インターネット通話留守録応答通知を受信したＰＣ３はインターネット通話留守録通知を複合機２に送信することを停止する。
【０１４８】
このため、複合機２がインターネット通話留守録通知を受信した後はインターネット通話留守録通知の送信を停止することができ、ＰＣ３の制御負荷を減らすことができる。
また、複合機２側で音声メッセージ記憶されている旨を知った利用者が、音声メッセージを再生するための操作を行うと、図８におけるｓ１６５０の処理によって、複合機２からインターネット通話留守録再生指令を送信する。さらに、インターネット通話留守録再生指令をＰＣ３が受信すると、メッセージ再生部２８ａによって音声メッセージを再生して、再生後の音声信号を音声Ｉ／Ｆ２４から複合機２へ出力させる。
【０１４９】
このため、普通の電話端末で行っているように複合機２側で音声メッセージを確認することができる。
（実施の形態２）
次に本発明の実施の形態２について例を挙げて説明する。
【０１５０】
本発明の実施の形態２によるインターネット電話システムの構成は、図１と同様である。また、着信処理は図２、図３と同様である。
実施の形態２によるインターネット電話システムが実施の形態１と異なる点は、留守録通知処理である。このため実施の形態２のインターネット電話システム１による着信処理の説明は省略し、以下に、実施の形態２において、ＰＣ３に相手側インターネット端末からの音声メッセージが記憶された場合の留守録通知処理について説明する。
【０１５１】
［実施の形態２のインターネット電話システム１による留守録通知処理］
以下に、ＰＣ３に相手側インターネット端末からの音声メッセージが記憶された場合の留守録通知処理を図１７に基づいて説明する。
ＰＣ３に相手側インターネット端末からの音声メッセージが記憶されると、ＰＣ３は複合機２へインターネット通話留守録通知を送信する（ｓ４０１）。これは、例えば５分毎に１回行い、複合機２からインターネット通話留守録応答通知を受信するまで行われる。
【０１５２】
その後、複合機２とＰＣ３が制御Ｉ／Ｆ２０，２７を介して接続されると、複合機２はインターネット通話留守録通知を受信する。インターネット通話留守録通知を受信した複合機２は、ＰＣ３へインターネット通話留守録応答通知を送信する（ｓ４０２）。そして、インターネット通話留守録応答通知を受信したＰＣ３はメッセージ録音部２８ｂに記憶された音声メッセージを制御Ｉ／Ｆ２７を経由して複合機２へ送信する（ｓ４０３）。
【０１５３】
複合機２は、ＰＣ３から送信される音声メッセージをメッセージ録音部１２ｂに記憶し（ｓ４０４）、音声メッセージの記憶が完了したら、ＰＣ３へインターネット通話留守録記憶完了通知を送信し（ｓ４０５）、表示パネル３３ｂに留守録がある旨を表示する（ｓ４０６）。その後、子機端末４へインターネット通話留守録通知を送信する（ｓ４０７）。
【０１５４】
インターネット通話留守録記憶完了通知を受信したＰＣ３はメッセージ録音部２８ｂに記憶された音声メッセージを消去する（ｓ４０８）。
インターネット通話留守録通知を受信した子機端末４は表示パネル３３ｂに留守録がある旨を表示する（ｓ４０９）。
【０１５５】
そして、留守録があることを知ったインターネット電話システム１の利用者が子機端末４の操作キー３３ａを操作して、留守録再生操作を行う（ｓ４１０）と、子機端末４は複合機２へインターネット通話留守録再生指令を送信する（ｓ４１１）。インターネット通話留守録再生指令を受信した複合機２はメッセージ録音部１２ｂに記憶された音声メッセージを再生し、再生後の音声メッセージは無線通信部１６を経由して子機端末４の送受話部３２に出力される（ｓ４１２）ため、子機端末４の送受話部３２から留守録された音声メッセージを聞くことができる。
【０１５６】
［実施の形態２の複合機２の制御部１１によるインターネット通話処理］
実施の形態２の複合機２の制御部１１が実行するインターネット通話処理について説明する。実施の形態２の複合機２の制御部１１によるインターネット通話処理が実施の形態１と異なる点は、図６に示されている子機非動作中ＰＣ制御信号判断処理と図８に示されている子機非動作中子機制御信号判断処理である。このため子機非動作中ＰＣ制御信号判断処理と子機非動作中子機制御信号判断処理以外の説明は省略し、以下に、実施の形態２による子機非動作中ＰＣ制御信号判断処理と子機非動作中子機制御信号判断処理を図１８〜図２０に基づいて説明する。
【０１５７】
子機非動作中ＰＣ制御信号判断処理は、図１８に示す手順で実行される。即ち、この子機非動作中ＰＣ制御信号判断処理では、制御部１１は、まずｓ４０１０にて、制御信号がインターネット通話呼出信号であるか否か判断する。ここで、インターネット通話呼出信号であると判断すると（ｓ４０１０：ＹＥＳ）、ｓ４０２０に処理を移し、着信処理を実行する。当該着信処理が終了すると、制御部１１は、当該子機非動作中ＰＣ制御信号判断処理を終了する。
【０１５８】
当該着信処理は実施の形態１による着信処理と同様である。
一方、ｓ４０１０にて、制御信号がインターネット通話呼出信号でないと判断すると（ｓ４０１０：ＮＯ）、処理をｓ４０３０に移し、制御信号がインターネット通話留守録通知であるか否か判断する。ここで、インターネット通話留守録通知であると判断すると（ｓ４０３０：ＹＥＳ）、ｓ４０４０に処理を移し、ＰＣ３へインターネット通話留守録応答通知を送信し、当該子機非動作中ＰＣ制御信号判断処理を終了する。
【０１５９】
一方、ｓ４０３０にて、制御信号がインターネット通話留守録通知でないと判断すると（ｓ４０３０：ＮＯ）、処理をｓ４０５０に移し、制御信号が留守録された音声メッセージであるか否か判断する。ここで、留守録された音声メッセージであると判断すると（ｓ４０５０：ＹＥＳ）、ｓ４０６０に処理を移し、音声メッセージ記憶処理を実行する。当該音声メッセージ記憶処理終了後に、当該子機非動作中ＰＣ制御信号判断処理を終了する。
【０１６０】
この音声メッセージ記憶処理は、図１９に示す手順で実行される。即ち、この音声メッセージ記憶処理では、制御部１１は、まずｓ４２１０にて、音声メッセージをメッセージ録音部１２ｂに記憶する。そして、処理をｓ４２２０に移し、音声メッセージの受信が終了したか否か判断する。ここで、音声メッセージの受信が終了したと判断すると（ｓ４２２０：ＹＥＳ）、音声メッセージをメッセージ録音部１２ｂに記憶する処理を終了し（ｓ４２３０）、その後に、ＰＣ３へインターネット通話留守録記憶完了通知を送信する（ｓ４２４０）。次にｓ４２５０に処理を移し、留守録表示処理を行う。この処理では、留守録メッセージがある旨を表示パネル１３ｂに表示する。そして、当該留守録表示処理終了後にｓ４２６０に処理を移し、子機端末４へインターネット通話留守録通知を送信して、当該音声メッセージ記憶処理を終了する。
【０１６１】
また、ｓ４２２０にて、音声メッセージの受信が終了していないと判断すると（ｓ４２２０：ＮＯ）、制御部１１は、当該音声メッセージ記憶処理を終了する。
一方、ｓ４０５０にて、留守録された音声メッセージでないと判断すると（ｓ４０５０：ＮＯ）、制御部１１は、子機非動作中ＰＣ制御信号判断処理を終了する。
【０１６２】
また、子機非動作中子機制御信号判断処理は、図２０に示す手順で実行される。即ち、この子機非動作中子機制御信号判断処理では、制御部１１は、まずｓ４４１０にて、制御信号がインターネット通話呼出応答信号であるか否か判断する。ここで、インターネット通話呼出応答信号であると判断すると（ｓ４４１０：ＹＥＳ）、ＰＣ３へインターネット通話呼出応答信号を送信し（ｓ４４２０）、その後に、音声信号の出力先、入力先を音声Ｉ／Ｆ１８に切り換え（ｓ４４３０）、当該子機非動作中子機制御信号判断処理を終了する。
【０１６３】
一方、ｓ４４１０にて、制御信号がインターネット通話呼出応答信号でないと判断すると（ｓ４４１０：ＮＯ）、処理をｓ４４４０に移し、制御信号がインターネット通話留守録再生指令であるか否か判断する。ここで、インターネット通話留守録再生指令であると判断すると（ｓ４４４０：ＹＥＳ）、ｓ４４５０に処理を移し、メッセージ録音部１２ｂに記憶された音声メッセージを再生し、無線通信部１６を経由して子機端末４に出力する。その後に、当該子機非動作中子機制御信号判断処理を終了する。
【０１６４】
また、ｓ４４４０にて、インターネット通話留守録再生指令でないと判断すると（ｓ４４４０：ＮＯ）、制御部１１は、当該子機非動作中子機制御信号判断処理を終了する。
［実施の形態２のＰＣ３の制御部２１によるインターネット通話処理］
実施の形態２のＰＣ３の制御部２１によるインターネット通話処理について説明する。実施の形態２のＰＣ３の制御部２１によるインターネット通話処理が実施の形態１と異なる点は、図１２に示されている複合機制御信号判断処理である。このため複合機制御信号判断処理以外の説明は省略し、以下に、実施の形態２による複合機制御信号判断処理を図２１に基づいて説明する。
【０１６５】
この複合機制御信号判断処理は、図２１に示す手順で実行される。即ち、この複合機制御信号判断処理では、制御部２１は、まずｓ４６１０にて、インターネット通話呼出応答信号であるか否か判断する。ここで、インターネット通話呼出応答信号であると判断すると（ｓ４６１０：ＹＥＳ）、ｓ４６２０に処理を移し、接続応答処理を行い、当該複合機制御信号判断処理を終了する。
【０１６６】
一方、ｓ４６１０にて、インターネット通話呼出応答信号でないと判断すると（ｓ４６１０：ＮＯ）、ｓ４６３０にて、インターネット電話停止指令であるか否か判断する。ここで、インターネット電話停止指令であると判断すると（ｓ４６３０：ＹＥＳ）、ｓ４６４０に処理を移して、インターネット通話終了処理を行う。
【０１６７】
また、ｓ４６３０にて、インターネット電話停止指令でないと判断すると（ｓ４６３０：ＮＯ）、ｓ４６６０にて、インターネット通話留守録応答通知であるか否か判断する。ここで、インターネット通話留守録応答通知であると判断すると（ｓ４６６０：ＹＥＳ）、ｓ４６７０に処理を移して、複合機２へインターネット通話留守録通知を送信する処理を終了する。その後、複合機２へメッセージ録音部２８ｂに記憶された音声メッセージを制御Ｉ／Ｆ２７を経由して複合機２へ送信し（ｓ４６８０）、当該ＰＣ制御信号判断処理を終了する。
【０１６８】
一方、ｓ４６６０にて、インターネット通話留守録応答通知でないと判断すると（ｓ４６６０：ＮＯ）、ｓ４６９０にて、インターネット通話留守録記憶完了通知であるか否か判断する。ここで、インターネット通話留守録記憶完了通知であると判断すると（ｓ４６９０：ＹＥＳ）、ｓ４７００に処理を移して、メッセージ録音部２８ｂに記憶された音声メッセージを消去する。その後に、当該複合機制御信号判断処理を終了する。
【０１６９】
また、ｓ４６９０にて、インターネット通話留守録記憶完了通知でないと判断すると（ｓ４６９０：ＮＯ）、制御部２１は、当該複合機制御信号判断処理を終了する。
［実施の形態２の子機端末４の制御部３１によるインターネット通話処理］実施の形態２の子機端末４の制御部３１によるインターネット通話処理が実施の形態１と異なる点はないため、実施の形態２の子機端末４の制御部３１によるインターネット通話処理の説明は省略する。
【０１７０】
［本発明との対応関係］
子機端末４の備えるユーザＩ／Ｆ３３は本発明における第２確認指令入力手段である。
また、図１９におけるｓ４２１０の処理およびｓ４２５０の処理は本発明における第３報知手段として機能している。
【０１７１】
［効果］
実施の形態２の着信処理は実施の形態１と同様である。即ち、実施の形態２のインターネット電話システム１によれば、実施の形態１の着信処理における効果と同様の効果が得られる。
【０１７２】
また、実施の形態２の留守録通知処理においては、通話相手からの音声メッセージがＰＣ３に記憶された後に、図１１におけるｓ２３１０〜ｓ２３３０の処理によって、ＰＣ３はインターネット通話留守録通知を複合機２に送信する。
このため、実施の形態１の留守録通知処理と同様に、制御Ｉ／Ｆ２７が複合機２に接続されると、複合機２側から音声メッセージがＰＣ３に記憶されていることを知ることができる。
【０１７３】
また、インターネット通話留守録通知を受信した複合機２は図１８におけるｓ４０４０の処理によって、インターネット通話留守録応答通知をＰＣ３に送信する。さらに、インターネット通話留守録応答通知を受信したＰＣ３はインターネット通話留守録通知を複合機２に送信することを停止する。
【０１７４】
このため、実施の形態１の留守録通知処理と同様に、複合機２がインターネット通話留守録通知を受信した後はインターネット通話留守録通知の送信を停止することができ、ＰＣ３の制御負荷を減らすことができる。
さらに、実施の形態２の留守録通知処理によれば、通話相手からの音声メッセージがＰＣ３に記憶された後に、制御Ｉ／Ｆ２７が複合機２に接続されると、図２１におけるｓ４６８０の処理によって、ＰＣ３は記憶された音声メッセージを複合機２に送信する。さらに、音声メッセージを受信した複合機２は図１９におけるｓ４２１０の処理によって、音声メッセージをメッセージ録音部１２ｂに記憶する。
【０１７５】
これによって、複合機２側で音声メッセージを記憶することができ、この後に再びＰＣ３の制御Ｉ／Ｆ２７が複合機２に接続されなくなった場合でも、複合機２側で音声メッセージを確認できる。
また、図１９におけるｓ４２１０の処理による音声メッセージの記憶が完了すると、図１９におけるｓ４２５０の処理によって、音声メッセージが記憶されている旨を報知する。これにより、複合機２側で音声メッセージが記憶されている旨を知った利用者が、音声メッセージを再生するための操作を行うと、図２０におけるｓ４４５０の処理によって、メッセージ録音部１２ｂに記憶された音声メッセージを再生する。
【０１７６】
このため、普通の電話端末で行っているように複合機２側で音声メッセージを確認することができる。
［変形例］
以上、本発明の実施形態について説明したが、本発明は上記の具体的な実施形態に限定されず、このほかにも様々な形態で実施することができる。
【０１７７】
例えば、上記実施形態においては、複合機２に本発明の電話端末としての構成を適用したものを例示した。しかし、本発明の電話端末としての構成を適用する装置は、電話端末としての機能を有していれば複合機２以外の装置であってもよい。
【０１７８】
また、上記実施形態においては、図５〜図１０および図１８〜図２０のインターネット通話処理が、複合機２の制御部１１からなるコンピュータシステムにより実行されるように構成されたものを例示した。しかし、これらの処理が、複合機２に有線・無線の信号伝送路で接続された別のコンピュータシステムにより実行されるように構成してもよい。
【０１７９】
また、上記実施形態においては、図１４〜図１６のインターネット通話処理が、子機端末４の制御部３１からなるコンピュータシステムにより実行されるように構成されたものを例示した。しかし、これらの処理が、子機端末４に有線・無線の信号伝送路で接続された別のコンピュータシステムにより実行されるように構成してもよい。
【０１８０】
また、上記実施形態においては、子機端末４のユーザＩ／Ｆ３３の操作キー３３ａを操作することでインターネット通話の開始または終了を実行し、送受話部３２により音声入出力を行っているが、複合機２のユーザＩ／Ｆ１３の操作キー１３ａを操作することでインターネット通話の開始および停止を実行し、ハンドセット１４あるいは音声入出力部１５のスピーカ１５ａとマイク１５ｂにより音声入出力を行う構成にすることも可能である。この場合、例えば、利用者が操作キー１３ａを介して、インターネット通話開始操作を行ったと制御部１１が判断すると、制御部１１は、ＰＣ３へインターネット通話呼出応答信号を送信するという構成にするとよい。
【０１８１】
また、上記実施形態においては、子機端末４のユーザＩ／Ｆ３３の操作キー３３ａを操作することで留守録の音声メッセージ再生を実行し、送受話部３２へ音声メッセージの出力を行っているが、複合機２のユーザＩ／Ｆ１３の操作キー１３ａを操作することで留守録の音声メッセージ再生を実行し、ハンドセット１４あるいは音声入出力部１５のスピーカ１５ａにより音声メッセージの出力を行う構成にすることも可能である。この場合、例えば、利用者が操作キー１３ａを介して、留守録の音声メッセージ再生操作を行ったと制御部１１が判断すると、制御部１１は、ＰＣ３へインターネット通話留守録再生指令を送信するという構成にするとよい。
【０１８２】
また、インターネット通話の開始、停止または留守録再生する際の契機として、特定の操作手順に従った操作が行われることを契機としてもよい。具体的な例としては、例えば、特定の操作ボタンを長押し（一定時間押し続ける）したり、複数の操作ボタンを特定の順番で操作したり、といった操作手順が考えられる。
【０１８３】
また、上記実施形態においては、図１３におけるｓ３２２０の処理で、呼出音はスピーカ部３５から出力されるように構成されたものを例示した。しかし、着信を報知するために、例えば、呼出音はスピーカ部３５およびスピーカ１５ａのいずれか一方または両方から出力されるように構成してもよいし、着信の旨をユーザＩ／Ｆ１３の表示パネル１３ｂおよび子機端末４の表示パネル３３ｂのいずれか一方または両方に表示させるように構成してもよい。
【０１８４】
また、上記実施形態においては、図６におけるｓ１２５０の処理および図１５におけるｓ３１００の処理で、留守録メッセージがある旨を表示パネル１３ｂおよび表示パネル３３ｂに表示するように構成されたものを例示した。しかし、留守録メッセージがある旨を報知するために、例えば、呼出音をスピーカ部３５およびスピーカ１５ａのいずれか一方または両方から出力されるように構成してもよいし、ユーザＩ／Ｆ１３の表示パネル１３ｂおよび子機端末４の表示パネル３３ｂのいずれか一方または両方に表示させるように構成してもよい。
【図面の簡単な説明】
【図１】実施形態１におけるインターネット電話システムの制御系統を示すブロック図
【図２】実施形態１におけるインターネット電話システムの着信処理を示すシーケンス図
【図３】実施形態１におけるインターネット電話システムの着信処理を示すシーケンス図
【図４】実施形態１におけるインターネット電話システムの留守録通知処理を示すシーケンス図
【図５】実施形態１における制御部１１が実行するインターネット通話処理手順を示すフローチャート
【図６】実施形態１における制御部１１が実行する子機非動作中ＰＣ制御信号判断処理手順を示すフローチャート
【図７】実施形態１における制御部１１が実行する着信処理手順を示すフローチャート
【図８】実施形態１における制御部１１が実行する子機非動作中子機制御信号判断処理手順を示すフローチャート
【図９】実施形態１における制御部１１が実行する子機動作中ＰＣ制御信号判断処理手順を示すフローチャート
【図１０】実施形態１における制御部１１が実行する子機動作中子機制御信号判断処理手順を示すフローチャート
【図１１】実施形態１における制御部２１が実行するインターネット通話処理手順を示すフローチャート
【図１２】実施形態１における制御部２１が実行する複合機制御信号判断処理手順を示すフローチャート
【図１３】実施形態１における制御部２１が実行する通話用ソフト関連情報判断処理手順を示すフローチャート
【図１４】実施形態１における制御部３１が実行するインターネット通話処理手順を示すフローチャート
【図１５】実施形態１における制御部３１が実行する複合機制御信号判断処理手順を示すフローチャート
【図１６】実施形態１における制御部３１が実行する子機操作判断処理手順を示すフローチャート
【図１７】実施形態２におけるインターネット電話システムの留守録通知処理を示すシーケンス図
【図１８】実施形態２における制御部１１が実行する子機非動作中ＰＣ制御信号判断処理手順を示すフローチャート
【図１９】実施形態２における制御部１１が実行する音声メッセージ記憶処理手順を示すフローチャート
【図２０】実施形態２における制御部１１が実行する子機非動作中子機制御信号判断処理手順を示すフローチャート
【図２１】実施形態２における制御部２１が実行する複合機制御信号判断処理手順を示すフローチャート
【符号の説明】
１・・・インターネット電話システム、２・・・複合機、３・・・パーソナルコンピュータ、４・・・子機端末、１１・・・制御部、１２・・・録再部、１２ａ・・・メッセージ再生部、１２ｂ・・・メッセージ録音部、１３・・・ユーザインターフェース部、１３ａ・・・操作キー、１３ｂ・・・表示パネル、１４・・・ハンドセット、１５・・・音声入出力部、１５ａ・・・スピーカ、１５ｂ・・・マイク、１５ｃ・・・駆動回路、１６・・・無線通信部、１７・・・ＮＣＵ、１８・・・音声信号インターフェース部、１９・・・経路切換部、２０・・・制御インターフェース部、２１・・・制御部、２２・・・記憶部、２３・・・通信部、２４・・・音声信号インターフェース部、２５・・・操作部、２６・・・ディスプレイ、２７・・・制御インターフェース部、２８・・・録再部、２８ａ・・・メッセージ再生部、２８ｂ・・・メッセージ録音部、３１・・・制御部、３２・・・送受話部、３３・・・ユーザインターフェース部、３３ａ・・・操作キー、３３ｂ・・・表示パネル、３４・・・再生部、３５・・・スピーカ部、３６・・・無線通信部、３７・・・電池、３８・・・容量検出部、３００・・・オーディオケーブル、３０１・・・制御信号ケーブル。
【図１】
2004112308.tif 000003
【図２】
2004112308.tif 000004
【図３】
2004112308.tif 000005
【図４】
2004112308.tif 000006
【図５】
2004112308.tif 000007
【図６】
2004112308.tif 000008
【図７】
2004112308.tif 000009
【図８】
2004112308.tif 000010
【図９】
2004112308.tif 000011
【図１０】
2004112308.tif 000012
【図１１】
2004112308.tif 000013
【図１２】
2004112308.tif 000014
【図１３】
2004112308.tif 000015
【図１４】
2004112308.tif 000016
【図１５】
2004112308.tif 000017
【図１６】
2004112308.tif 000018
【図１７】
2004112308.tif 000019
【図１８】
2004112308.tif 000020
【図１９】
2004112308.tif 000021
【図２０】
2004112308.tif 000022
【図２１】
2004112308.tif 000023